(57)【要約】      （修正有）【課題】移動無線通信システムにおいて１以上の基地局から移動局に送信される複数の異なったデータ流の送信パワーレベルを制御する方法および装置を提供する。【解決手段】第１および第２のデータ流は基地局から送信され、移動局で受信される。移動局において、受信された第１または第２のいずれかのデータ流にしたがってパワー制御コマンド流が形成される。パワー制御信号は移動局において第１のパワー制御コマンド流から形成され、基地局に送信される。基地局において、受信されたパワー制御信号から受信されたパワー制御コマンド流が形成され、基地局からの第１および第２のデータ流の送信パワーレベルは、受信されたパワー制御コマンド流にしたがって制御される。【選択図】図１Ａ
2011182434.tif 000002
【特許請求の範囲】
【請求項１】
移動無線電話通信システムにおける１以上の基地局から１つの移動局へ送信される複数の異なったデータ流の送信パワーレベルを制御する方法において、
（ａ）第１のデータ流を前記１以上の基地局から前記移動局へ送信し、第２のデータ流を前記１以上の基地局から移動局へ送信し、
（ｂ）前記移動局において第１、第２のデータ流を受信し、
（ｃ）第１または第２の受信されたデータ流のいずれかにしたがって前記移動局において第１のパワー制御コマンド流を形成し、
（ｄ）前記移動局において第１のパワー制御コマンド流からパワー制御信号を形成し、
（ｅ）前記移動局から前記１以上の基地局へパワー制御信号を送信し、
（ｆ）前記１以上の基地局においてそのパワー制御信号を受信し、
（ｇ）前記１以上の基地局において受信されたパワー制御信号から第１の受信されたパワー制御コマンド流を形成し、
（ｈ）第１の受信されたパワー制御コマンド流にしたがって前記１以上の基地局からの前記第１のデータ流の送信パワーレベルを制御し、第１の受信されたパワー制御コマンド流にしたがって前記１以上の基地局からの前記第２のデータ流の送信パワーレベルを制御するステップを有することを特徴とする送信パワーレベルの制御方法。
【請求項２】
移動無線電話通信システムは第１および第２の基地局を含んでおり、
（ａ）前記ステップ（ａ）においては、前記第１のデータ流を前記第１および第２の基地局から前記移動局へ送信し、第２のデータ流を前記第２の基地局から前記移動局へ送信し、
（ｂ）前記ステップ（ｂ）においては、前記移動局において前記第１の基地局および第２の基地局から第１のデータ流を受信し、前記第２の基地局から第２のデータ流を受信し、
（ｃ）前記ステップ（ｃ）においては、前記移動局において第１のパワー制御コマンド流を形成し、その第１のパワー制御コマンド流は前記第１の基地局から受信された第１または第２のデータ流の１つにしたがって決定され、前記移動局において第２のパワー制御コマンド流を形成し、その第２のパワー制御コマンド流は前記第２の基地局から受信された第２のデータ流にしたがって決定され、
（ｄ）前記ステップ（ｄ）においては、第１および第２のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、前記第１の基地局において受信されたインターリーブされたパワー制御信号をデインターリーブすることによって第１の受信されたパワー制御コマンド流を形成し、前記第２の基地局において受信されたインターリーブされたパワー制御信号をデインターリーブすることによって第２の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第１の受信されたパワー制御コマンド流にしたがって第１の基地局から送信された前記第２のデータ流の送信パワーレベルを制御し、第２の受信されたパワー制御コマンド流にしたがって第２の基地局から送信された前記第２のデータ流の送信パワーレベルを制御する請求項１記載の方法。
【請求項３】
移動無線電話通信システムは第１および第２の基地局を含ん
でおり、
（ａ）前記ステップ（ａ）においては、前記第１のデータ流を第１および第２の基地局から前記移動局へ送信し、第２のデータ流を第１および第２の基地局から前記移動局へ送信し、
（ｂ）前記ステップ（ｂ）においては、前記移動局において第１の基地局および第２の基地局から第１のデータ流を受信し、第１の基地局および第２の基地局から第２のデータ流を受信し、
（ｃ）前記ステップ（ｃ）においては、前記移動局において第１のパワー制御コマンド流を形成し、その第１のパワー制御コマンド流は第１の基地局から受信された第１または第２のデータ流の１つにしたがって決定され、前記移動局において第２のパワー制御コマンド流を形成し、その第２のパワー制御コマンド流は第２の基地局から受信された第１または第２のデータ流の１つにしたがって決定され、
（ｄ）前記ステップ（ｄ）においては、第１および第２のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、受信されたインターリーブされたパワー制御信号を前記第１の基地局においてデインターリーブすることによって第１の受信されたパワー制御コマンド流を形成し、受信されたインターリーブされたパワー制御信号を前記第２の基地局においてデインターリーブすることによって第２の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第１の受信されたパワー制御コマンド流にしたがって第１の基地局から送信された前記第２のデータ流の送信パワーレベルを制御し、第２の受信されたパワー制御コマンド流にしたがって第２の基地局から送信された第１のデータ流の送信パワーレベルを制御し、第２の受信されたパワー制御コマンド流にしたがって第２の基地局から送信された第２のデータ流の送信パワーレベルを制御する請求項１記載の方法。
【請求項４】
前記受信された第１のパワー制御コマンド流はステップ（ｃ）で決定された第１のパワー制御コマンド流に実質上対応している請求項３記載の方法。
【請求項５】
前記受信された第２のパワー制御コマンド流はステップ（ｃ）で決定された第２のパワー制御コマンド流に実質上対応している請求項４記載の方法。
【請求項６】
移動無線電話通信システムは第１のセットの２以上の基地局を含み、第１のセットの基地局は少なくとも第１および第２の基地局を含み、
（ａ）前記ステップ（ａ）においては、第１のデータ流を前記第１のセットの基地局中の各基地局から前記移動局へ送信し、第２のデータ流を前記第２の基地局から前記移動局へ送信し、
（ｂ）前記ステップ（ｂ）においては、前記移動局において前記第１のセットの基地局中の各基地局から第１のデータ流を受信し、前記第２の基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つと関連し、第２の基地局と関連したパワー制御コマンド流とは異なる第１の複数のパワー制御コマンド流中の各パワー制御コマンド流は、前記第１のセットの基地局の１つから受信された第１のデータ流にしたがって決定され、第２の基地局と関連した第１の複数のパワー制御コマンド流は、前記第２の基地局から受信された第１または第２のデータ流の１つにしたがって決定され、
（ｄ）前記ステップ（ｄ）においては、第１の複数のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、前記第１の複数のパワー制御コマンド流は第２の基地局と関連した受信されたパワー制御信号流を含んでおり、
（ｈ）前記ステップ（ｈ）においては、第１の複数の受信されたパワー制御コマンド流の対応するものにしたがって第２の基地局以外の第１のセットの基地局中の各基地局から送信された第１のデータ流の送信パワーレベルを制御し、第２の基地局に関連する受信されたパワー制御コマンド流にしたがって第２の基地局から送信された第１および第２のデータ流の送信パワーレベルを制御する請求項１記載の方法。
【請求項７】
第１のデータ流は音声メッセージ信号である請求項１記載の方法。
【請求項８】
第２のデータ流はファックス伝送を表している請求項７記載の方法。
【請求項９】
第２のデータ流はインターネット伝送を表している請求項７記載の方法。
【請求項１０】
第１または第２のいずれかの受信されたデータ流に関係するエラー率をモニタすることによって、ステップ（ｃ）において移動局は第１のパワー制御コマンド流を形成する請求項１記載の方法。
【請求項１１】
第１または第２のいずれかの受信されたデータ流に関係する信号対雑音比をモニタすることによって、ステップ（ｃ）において移動局は第１のパワー制御コマンド流を形成する請求項１記載の方法。
【請求項１２】
第１のパワー制御コマンド流中の各パワー制御コマンドは、ステップ（ａ）において第１または第２のデータ流に関係して送信パワーを増加または減少させるコマンドを表している請求項１記載の方法。
【請求項１３】
第１および第２のデータ流は共通の周波数帯域でステップ（ａ）において移動局に送信される請求項１記載の方法。
【請求項１４】
第１および第２のデータ流はコード分割多重アクセス変調を使用して移動局に送信される請求項１３記載の方法。
【請求項１５】
第１のパワー制御コマンド流はインターリーブされたパワー制御信号内の第１のビット率を有しており、第２のパワー制御コマンド流はインターリーブされたパワー制御信号内の第２のビット率を有している請求項２記載の方法。
【請求項１６】
第１のパワー制御コマンド流はインターリーブされたパワー制御信号内の第１のビット率を有しており、第２のパワー制御コマンド流はインターリーブされたパワー制御信号内の第２のビット率を有している請求項３記載の方法。
【請求項１７】
移動局が第１と第２の基地局間のソフトハンドオフを行っているとき、ステップ（ａ）〜（ｈ）が実行される請求項２記載の方法。
【請求項１８】
移動局が第１と第２の基地局間のソフトハンドオフを行っているとき、ステップ（ａ）〜（ｈ）が実行される請求項３記載の方法。
【請求項１９】
移動無線電話通信システムにおける１以上の基地局から１つの移動局へ送信される複数の異なったデータ流の送信パワーレベルを制御する方法において、
（ａ）第１のデータ流を前記１以上の基地局から前記移動局へ送信し、第２のデータ流を前記１以上の基地局から移動局へ送信し、
（ｂ）前記移動局において第１および第２のデータ流を受信し、
（ｃ）第１の受信されたデータ流にしたがって前記移動局において第１のパワー制御コマンド流を形成し、第２の受信されたデータ流にしたがって前記移動局において第２のパワー制御コマンド流を形成し、
（ｄ）前記移動局において第１および第２のパワー制御コマンド流をインターリーブすることによってパワー制御信号を形成し、
（ｅ）前記移動局から前記１以上の基地局へインターリーブされたパワー制御信号を送信し、
（ｆ）前記１以上の基地局においてそのインターリーブされたパワー制御信号を受信し、
（ｇ）前記１以上の基地局において受信されたパワー制御信号をデインターリーブすることによって第１および第２の受信されたパワー制御コマンド流を形成し、
（ｈ）第１の受信されたパワー制御コマンド流にしたがって前記１以上の基地局からの第１のデータ流の送信パワーレベルを制御し、第２の受信されたパワー制御コマンド流にしたがって前記１以上の基地局からの第２のデータ流の送信パワーレベルを制御するステップを有することを特徴とする送信パワーレベルの制御方法。
【請求項２０】
移動無線電話通信システムは第１および第２の基地局を含み、
（ａ）前記ステップ（ａ）においては、前記第１のデータ流を前記第１および第２の基地局から前記移動局へ送信し、第２のデータ流を前記第２の基地局から前記移動局へ送信し、
（ｂ）前記ステップ（ｂ）においては、前記移動局において前記第１の基地局および第２の基地局から第１のデータ流を受信し、前記第２の基地局から第２のデータ流を受信し、
（ｃ）前記ステップ（ｃ）においては、前記移動局において第１および第２のパワー制御コマンド流を形成し、その第１のパワー制御コマンド流は前記第１の基地局から受信された第１のデータ流にしたがって決定され、その第２のパワー制御コマンド流は前記第２の基地局から受信された第１のデータ流にしたがって決定され、前記移動局において第３のパワー制御コマンド流を形成し、その第３のパワー制御コマンド流は前記第２の基地局から受信された第２のデータ流にしたがって決定され、
（ｄ）前記ステップ（ｄ）においては、第１、第２および第３のパワー制御コマンド流をインターリーブすることによって前記移動局においてインターリーブされたパワー制御信号を形成し、
（ｅ）前記ステップ（ｅ）においては、前記移動局から第１および第２の基地局へ前記インターリーブされたパワー制御信号を送信し、
（ｆ）前記ステップ（ｆ）においては、前記第１および第２の基地局において前記インターリーブされたパワー制御信号を受信し、
（ｇ）前記ステップ（ｇ）においては、前記第１の基地局において受信されたインターリーブされたパワー制御信号をデインターリーブすることによって第１および第２の受信されたパワー制御コマンド流を形成し、前記第２の基地局において受信されたインターリーブされたパワー制御信号をデインターリーブすることによって第３の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第２の受信されたパワー制御コマンド流にしたがって第１の基地局から送信された前記第２のデータ流の送信パワーレベルを制御し、第３の受信されたパワー制御コマンド流にしたがって第２の基地局から送信された前記第２のデータ流の送信パワーレベルを制御する請求項１９記載の方法。
【請求項２１】
移動無線電話通信システムは第１および第２の基地局を含み、
（ａ）前記ステップ（ａ）においては、前記第１のデータ流を前記第１および第２の基地局から前記移動局へ送信し、第２のデータ流を前記第１および第２の基地局から前記移動局へ送信し、
（ｂ）前記ステップ（ｂ）においては、前記移動局において前記第１の基地局および第２の基地局から第１のデータ流を受信し、前記第１の基地局および前記第２の基地局から第２のデータ流を受信し、
（ｃ）前記ステップ（ｃ）においては、前記移動局において第１および第２のパワー制御コマンド流を形成し、その第１のパワー制御コマンド流は前記第１の基地局から受信された第１のデータ流にしたがって決定され、前記第２のパワー制御コマンド流は前記第２の基地局から受信された第１のデータ流にしたがって決定され、前記移動局において第３および第４のパワー制御コマンド流を形成し、その第３のパワー制御コマンド流は前記第１の基地局から受信された第２のデータ流にしたがって決定され、前記第４のパワー制御コマンド流は前記第２の基地局から受信された第２のデータ流にしたがって決定され、
（ｄ）前記ステップ（ｄ）においては、第１、第２、第３および第４のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、前記第１の基地局において受信されたインターリーブされたパワー制御信号をデインターリーブすることによって第１および第２の受信されたパワー制御コマンド流を形成し、前記第２の基地局において受信されたインターリーブされたパワー制御信号をデインターリーブすることによって第３および第４の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第２の受信されたパワー制御コマンド流にしたがって第１の基地局から送信された第２のデータ流の送信パワーレベルを制御し、第３の受信されたパワー制御コマンド流にしたがって第２の基地局から送信された第１のデータ流の送信パワーレベルを制御し、第４の受信されたパワー制御コマンド流にしたがって第２の基地局から送信された第２のデータ流の送信パワーレベルを制御する請求項１９記載の方法。
【請求項２２】
移動無線電話通信システムは第１のセットの２以上の基地局を含み、第１のセットの基地局は少なくとも第１および第２の基地局を含んでおり、
（ａ）前記ステップ（ａ）においては、前記第１のデータ流を前記第１のセットの基地局中の各基地局から前記移動局へ送信し、第２のデータ流を前記第２の基地局から前記移動局へ送信し、
（ｂ）前記ステップ（ｂ）においては、前記移動局において前記第１のセットの基地局中の各基地局から第１のデータ流を受信し、前記第２の基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つから受信された第１のデータ流にしたがって決定され、前記移動局において別のパワー制御コマンド流を形成し、この別のパワー制御コマンド流は第２の基地局から受信された第２のデータ流にしたがって決定され、
（ｄ）前記ステップ（ｄ）においては、複数のパワー制御コマンド流および前記別のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、別の受信されたパワー制御コマンド流を形成し、この別の受信されたパワー制御コマンド流は受信されたパワー制御信号をデインターリーブすることによって第２の基地局において形成され、
（ｈ）前記ステップ（ｈ）においては、第１の複数の受信されたパワー制御コマンドの対応するものにしたがって第１のセットの基地局中の各基地局から送信された第１のデータ流の送信パワーレベルを制御し、前記別の受信されたパワー制御コマンドにしたがって第２の基地局から送信される第２のデータ流の送信パワーレベルを制御する請求項１９記載の方法。
【請求項２３】
移動無線電話通信システムは第２のセットの２以上の基地局を含み、第２のセットの基地局は第１のセットの基地局のサブセットを含んでおり、
（ａ）前記ステップ（ａ）においては、前記第１のデータ流を前記第１のセットの基地局から前記移動局へ送信し、第２のデータ流を前記第２のセットの基地局から前記移動局へ送信し、
（ｂ）前記ステップ（ｂ）においては、前記移動局において前記第１のセットの基地局中の各基地局から第１のデータ流を受信し、前記第２のセットの基地局の各基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つから受信された第１のデータ流にしたがって決定され、前記移動局において第２の複数のパワー制御コマンド流を形成し、第２の複数のパワー制御コマンド流中の各パワー制御コマンド流は前記第２のセットの基地局の１つから受信された第２のデータ流にしたがって決定され、
（ｄ）前記ステップ（ｄ）においては、第１の複数のパワー制御コマンド流および第２の複数のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、第２の複数の受信されたパワー制御コマンド流を形成し、第２の複数のパワー制御コマンド流の受信された各パワー制御信号は受信されたインターリーブされたパワー制御信号をデインターリーブすることによって第２のセットの各基地局の異なったものにおいて形成され、
（ｈ）前記ステップ（ｈ）においては、第１の複数の受信されたパワー制御コマンドの対応するものにしたがって第１のセットの基地局中の各基地局から送信された第１のデータ流の送信パワーレベルを制御し、第２の複数の受信されたパワー制御コマンドの対応するものにしたがって第２のセットの各基地局から送信される第２のデータ流の送信パワーレベルを制御する請求項２２記載の方法。
【請求項２４】
移動無線電話通信システムにおける少なくとも第１および第２の基地局から１つの移動局へ送信される複数の異なったデータ流の送信パワーレベルを制御する方法において、
（ａ）第１のデータ流を第１および第２の基地局から前記移動局へ送信し、第２のデータ流を第１の基地局から移動局へ送信し、
（ｂ）前記移動局において第１の基地局および第２の基地局から第１のデータ流を受信し、前記移動局において第１の基地局から第２のデータ流を受信し、
（ｃ）前記移動局において第１のパワー制御コマンド流を形成し、その第１のパワー制御コマンド流は第１の基地局から受信された第１のデータ流および第２の基地局から受信された第１のデータ流にしたがって決定され、前記移動局において第２のパワー制御コマンド流を形成し、その第２のパワー制御コマンド流は第１の基地局から受信された第２のデータ流にしたがって決定され、
（ｄ）前記移動局において第１および第２のパワー制御コマンド流からパワー制御信号を形成し、
（ｅ）前記移動局から第１の基地局へパワー制御信号を送信し、
（ｆ）第１の基地局においてそのパワー制御信号を受信し、
（ｇ）第１の基地局において受信されたパワー制御信号から第１の受信されたパワー制御コマンド流および第２の受信されたパワー制御コマンド流を形成し、
（ｈ）第１の受信されたパワー制御コマンド流にしたがって第１の基地局から前記第１のデータ流の送信パワーレベルを制御し、第２の受信されたパワー制御コマンド流にしたがって第１の基地局から前記第２のデータ流の送信パワーレベルを制御するステップを有することを特徴とする送信パワーレベルの制御方法。
【請求項２５】
第１の受信されたパワー制御コマンド流はステップ（ｃ）で決定された第１のパワー制御コマンド流に実質上対応し、第２の受信されたパワー制御コマンド流はステップ（ｃ）で決定された第２のパワー制御コマンド流に実質上対応している請求項２４記載の方法。
【請求項２６】
前記ステップ（ｃ）においてさらに、移動局において第１のパワー制御コマンド流とは異なった第３のパワー制御コマンド流を形成し、この第３のパワー制御コマンド流は第１の基地局から受信された第１のデータ流および第２の基地局から受信された第１のデータ流にしたがって決定され、前記ステップ（ｄ）においてさらに、前記移動局において第１のパワー制御コマンド流、第２のパワー制御コマンド流および第３のパワー制御コマンド流から第２のパワー制御コマンド信号を形成し、前記ステップ（ｅ）においてさらに、前記移動局から前記第２の基地局へパワー制御信号流を送信し、前記ステップ（ｆ）においてさらに、前記第２の基地局においてパワー制御信号を受信し、前記ステップ（ｇ）においてさらに、第２の基地局において受信されたパワー制御信号から第３の受信されたパワー制御コマンド流を形成し、前記ステップ（ｈ）においてさらに、第３の受信されたパワー制御コマンドにしたがって第２の基地局から送信される第１のデータ流の送信パワーレベルを制御する請求項２４記載の方法。
【請求項２７】
（ａ）前記ステップ（ａ）においては、前記第１のデータ流を第１のセットの３以上の基地局から前記移動局へ送信し、第２のデータ流を第２のアクチブセットの１以上の基地局から前記移動局へ送信し、第１および第２の基地局は共に第１の基地局のアクチブセットに含まれており、第１の基地局は第２の基地局のアクチブセットに含まれており、
（ｂ）前記ステップ（ｂ）においては、前記移動局において前記第１のアクチブセットの基地局の各基地局から第１のデータ流を受信し、前記移動局において前記第２のセットの基地局の各基地局から第２のデータ流を受信し、
（ｃ）前記ステップ（ｃ）においては、前記移動局において第１のパワー制御コマンド流を形成し、第１のパワー制御コマンド流は前記第１のアクチブセットの基地局の各基地局から受信された第１のデータ流にしたがって決定され、前記移動局において第２のパワー制御コマンド流を形成し、第２のパワー制御コマンド流は前記第２のアクチブセットの基地局から受信された第２のデータ流にしたがって決定される請求項２４記載の方法。
【請求項２８】
第２のアクチブセットの基地局は第１のアクチブセットの基地局のサブセットである請求項２７記載の方法。
【請求項２９】
第１のデータ流は音声メッセージ信号である請求項２４記載の方法。
【請求項３０】
第２のデータ流はファックス伝送を表している請求項２９記載の方法。
【請求項３１】
第２のデータ流はインターネット伝送を表している請求項２９記載の方法。
【請求項３２】
第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する請求項２４記載の方法。
【請求項３３】
第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する請求項２４記載の方法。
【請求項３４】
第１の基地局からの第１の受信されたデータ流に関係する信号対雑音比および第２の基地局からの第１の受信されたデータ流に関係する信号対雑音比をモニタすることによって、ステップ（ｃ）において移動局は第１のパワー制御コマンド流を形成する請求項２４記載の方法。
【請求項３５】
第１のパワー制御コマンド流中の各パワー制御コマンドは、ステップ（ａ）において第１の基地局から送信された第１のデータ流に関係して送信パワーを増加または減少させるコマンドを表している請求項２４記載の方法。
【請求項３６】
第２のパワー制御コマンド流中の各パワー制御コマンドは、ステップ（ａ）において第１の基地局から送信された第２のデータ流に関係して送信パワーを増加または減少させるコマンドを表している請求項３５記載の方法。
【請求項３７】
第３のパワー制御コマンド流中の各パワー制御コマンドは、ステップ（ａ）において第２の基地局から送信された第１のデータ流に関係して送信パワーを増加または減少させるコマンドを表している請求項２６記載の方法。
【請求項３８】
第１および第２のデータ流は，ステップ（ａ）において共通の周波数帯域で移動局に送信される請求項２４記載の方法。
【請求項３９】
第１および第２のデータ流は，コード分割多重アクセス変調を使用して移動局に送信される請求項３８記載の方法。
【請求項４０】
移動局が第１と第２の基地局間のソフトハンドオフを行っているとき、ステップ（ａ）〜（ｈ）が実行される請求項２４記載の方法。
【請求項４１】
移動局が第１と第２の基地局間のソフトハンドオフを行っているとき、ステップ（ａ）〜（ｈ）が実行される請求項２６記載の方法。
【請求項４２】
移動局が第１と第２の基地局間のソフトハンドオフを行っているとき、ステップ（ａ）〜（ｈ）が実行される請求項２７記載の方法。
【請求項４３】
移動無線電話通信システムにおける少なくとも第１および第２の基地局から１つの移動局へ送信される複数の異なったデータ流の送信パワーレベルを制御する方法において、
（ａ）第１のデータ流を第１および第２の基地局から前記移動局へ送信し、第２のデータ流を前記第１の基地局から移動局へ送信し、
（ｂ）前記移動局において第１の基地局および第２の基地局から第１のデータ流を受信し、前記移動局において第１の基地局から第２のデータ流を受信し、
（ｃ）前記移動局において第１のパワー制御コマンド流を形成し、その第１のパワー制御コマンド流は第１の基地局から受信された第１のデータ流および第２の基地局から受信された第１のデータ流にしたがって決定され、前記移動局において第２のパワー制御コマンド流を形成し、その第２のパワー制御コマンド流は第１の基地局から受信された第２のデータ流にしたがって決定され、
（ｄ）前記移動局において第１および第２のパワー制御コマンド流からパワー制御信号を形成し、
（ｅ）前記移動局から第１および第２の基地局へパワー制御信号を送信し、
（ｆ）第１および第２の基地局において前記パワー制御信号を受信し、
（ｇ）第１の基地局において受信されたパワー制御信号から第１の受信されたパワー制御コマンド流を形成し、第２の基地局において受信されたパワー制御信号からの第２の受信されたパワー制御コマンド流を形成し、
（ｈ）第１の受信されたパワー制御コマンド流にしたがって前記第１の基地局から第１のデータ流の送信パワーレベルを制御し、第１の受信されたパワー制御コマンド流にしたがって前記第１の基地局からの前記第２のデータ流の送信パワーレベルを制御し、第２の受信されたパワー制御コマンド流にしたがって前記第２の基地局からの前記第１のデータ流の送信パワーレベルを制御するステップを有することを特徴とする送信パワーレベルの制御方法。
【請求項４４】
第２の受信されたパワー制御コマンド流はステップ（ｃ）で決定された第１のパワー制御コマンド流に実質上対応し、第１の受信されたパワー制御コマンド流はステップ（ｃ）で決定された第２のパワー制御コマンド流に実質上対応している請求項４３記載の方法。
【請求項４５】
第１のデータ流は音声メッセージ信号である請求項４３記載の方法。
【請求項４６】
第２のデータ流はファックス伝送を表している請求項４５記載の方法。
【請求項４７】
第２のデータ流はインターネット伝送を表している請求項４５記載の方法。
【請求項４８】
第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する請求項４３記載の方法。
【請求項４９】
第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する請求項４３記載の方法。
【請求項５０】
第１の基地局からの第１の受信されたデータ流に関係する信号対雑音比および第２の基地局からの第１の受信されたデータ流に関係する信号対雑音比をモニタすることによって、ステップ（ｃ）において移動局は第１のパワー制御コマンド流を形成する請求項４３記載の方法。
【請求項５１】
第１のパワー制御コマンド流中の各パワー制御コマンドは、ステップ（ａ）において第２の基地局から送信される第１のデータ流に関係して送信パワーを増加または減少させるコマンドを表している請求項４３記載の方法。
【請求項５２】
第２のパワー制御コマンド流中の各パワー制御コマンドは、ステップ（ａ）において第１の基地局から送信される第１のデータ流に関係して送信パワーを増加または減少させるコマンドを表している請求項５１記載の方法。
【請求項５３】
第２のパワー制御コマンド流中の各パワー制御コマンドは、ステップ（ａ）において第１の基地局から送信された第２のデータ流に関係して送信パワーを増加または減少させるコマンドを表している請求項５２記載の方法。
【請求項５４】
第１および第２のデータ流は，テップ（ａ）において共通の周波数帯域で移動局に送信される請求項４３記載の方法。
【請求項５５】
第１および第２のデータ流は，コード分割多重アクセス変調を使用して移動局に送信される請求項５４記載の方法。
【請求項５６】
移動局が第１と第２の基地局間のソフトハンドオフを行っているとき、ステップ（ａ）〜（ｈ）が実行される請求項４３記載の方法。
【請求項５７】
移動無線電話通信システムにおいて、基地局の第１のアクチブセット中の１以上の基地局から１つの移動局へ送信される第１のデータ流および基地局の第２のアクチブセット中の１以上の基地局から前記移動局へ送信される第２のデータ流の送信パワーレベルを制御する方法において、
（ａ）第１のデータ流を第１のアクチブセット中の基地局から前記移動局へ送信し、第２のデータ流を第２のアクチブセット中の基地局から前記移動局へ送信し、
（ｂ）前記移動局において第１のアクチブセット中の基地局から第１のデータ流を受信し、第２のアクチブセット中の基地局から第２のデータ流を受信し、
（ｃ）前記移動局において第１のパワー制御コマンド流を形成し、その第１のパワー制御コマンド流は第２のアクチブセット中の各基地局から受信された第１のデータ流および第２のアクチブセットの各基地局から受信された第２のデータ流にしたがって決定され、前記移動局において第２のパワー制御コマンド流を形成し、その第２のパワー制御コマンド流は第１のアクチブセットの各基地局から受信された第１のデータ流にしたがって決定され、第２のアクチブセットの基地局から受信された第１のデータ流は決定には関係せず、
（ｄ）前記移動局において第１および第２のパワー制御コマンド流からパワー制御信号を形成し、
（ｅ）前記移動局から前記第１および第２のアクチブセットの基地局へパワー制御信号を送信し、
（ｆ）第１の基地局において前記パワー制御信号を受信し、その第１の基地局は基地局の前記第１および第２のアクチブセットに含まれており、
（ｇ）第１の基地局において受信されたパワー制御信号にしたがって第１の受信されたパワー制御コマンド流を形成し、この第１の受信されたパワー制御コマンド流は移動局において形成された第１のパワー制御信号に対応しており、
（ｈ）第１の受信されたパワー制御コマンド流にしたがって第１の基地局からの第１のデータ流の送信パワーレベルを制御し、第１の受信されたパワー制御コマンド流にしたがって前記第１の基地局からの前記第２のデータ流の送信パワーレベルを制御し、
（ｉ）第２の基地局においてパワー制御信号を受信し、この第２の基地局は第１の基地局のアクチブセットに含まれているが、第２の基地局のアクチブセットには含まれておらず、
（ｊ）第２の基地局において受信されたパワー制御信号にしたがって第２の受信されたパワー制御コマンド流を形成し、この第２の受信されたパワー制御コマンド流は移動局において形成された第２のパワー制御コマンド流に対応し、
（ｋ）第２の受信されたパワー制御コマンド流にしたがって第２の基地局からの前記第１のデータ流の送信パワーレベルを制御するステップを有することを特徴とする送信パワーレベルの制御方法。
【発明の詳細な説明】
【技術分野】
【０００１】
本発明は通信システム分野、特に移動体無線通信システムで１または幾つかの基地局から移動局へ送信される多重データ流の送信パワーレベルを制御する方法に関する。
【背景技術】
【０００２】
移動体電話通信システムでは、１または幾つかの基地局は音声情報またはデータ或いはその両者を移動局へ送信する。各基地局は１または幾つかのセクタをサポートする。例えばＥＩＡ／ＴＩＡ−９５−Ａ  ＣＤＭＡシステムでは、各基地局は３つの個々のセクタをサポートし、各セクタは異なる情報を送信することが共通している。基地局から１以上の移動局への音声およびデータ送信は典型的に順方向リンクトラフィックチャンネルで行われる。移動局は順方向リンクトラフィックチャンネルから情報を受信し、情報を復号し、復号された情報に関連するフレームエラ−率を決定する。復号された情報のフレームエラ−率は例えば順方向リンクチャンネルのフェージング状態により悪影響される。さらに、トラフィックチャンネルは幾つかの基地局または同一の基地局の幾つかのセクタから送信されることができる。移動局はその後、しばしば従来技術ではソフトハンドオフと呼ばれるプロセスで、改良された復号のため異なるセクタからの信号を結合する。同一のデータ信号を送信する基地局セクタのセットは通常“アクチブセット”の名称が付けられている。用語ソフトハンドオフは異なる基地局間のソフトハンドオフと、同一基地局の異なるセクタ間のソフトハンドオフを意味することが当業者により理解されるであろう。
【０００３】
例えば符号分割多重アクセス（ＣＤＭＡ）変調を使用する移動体無線システムのような幾つかの移動体無線通信システムでは、移動局のフレームエラ−率は順方向リンクトラフィック信号の移動局へ送信される送信パワーレベルを制御するために使用される。例えばこのようなシステムでは、所望の信号対雑音パワー比は所望のフレームエラ−率から得られる。移動局により受信される実際の信号対雑音比の評価はその後、移動局からアクチブセットの基地局へ返送されるパワー制御コマンド流を発生するために使用される。パワー制御コマンド流の各パワー制御コマンドは基地局に順方向リンクトラフィックチャンネルの移動局へ送信される送信パワーを（例えば１ｄＢだけ）増加させ、（例えば１ｄＢだけ）減少させ、または一定に保持させる。
【０００４】
このようなパワー制御システムの使用により、移動局は基地局にフェードのような状態を補償するために送信パワーを増加させることが可能になる。同様に、チャンネル状態がさらに好ましいとき、パワー制御システムは基地局がパワーを節約することを許容し、予め定められたエラ−率は低い送信パワーを使用して維持される。
【０００５】
現代の移動体電話通信システムでは、幾つかのデータ流（例えばファックス送信、インターネット送信、音声呼等）は同時に移動局へ送信されることができる。ＣＤＭＡシステムのようなシステムでは、このようなデータ流の送信は同一の順方向リンクトラフィックチャンネル（即ち周波数チャンネル）で行われることができる。このような場合、所定の順方向リンクで特定の基地局から移動局へ送信される各データ流（例えば音声、ファックス、インターネット等）は、しばしばウォルシュコードと呼ばれ各データ流が別々に移動局で復調されることを可能にする異なる拡散コードを使用して変調される。異なる基地局はこれらが異なる（しばしばＰＮコードと呼ばれる）スクランブリングコードを使用するとき、同一の拡散コードを有する順方向リンクで送信することができる。
【０００６】
多数のデータ流が１または複数の順方向リンクで１または複数の基地局から１つの移動局へ送信される場合、各データ流の送信パワーレベルは前述したように制御されるべきである。しかしながら、移動局から各基地局へ逆方向リンクで別々のパワー制御コマンド流を返送し、それによって各データ流の送信パワーを制御することは、システムのオーバーヘッドの実質的な増加を生じる。
【０００７】
したがって、基地局が多数のデータ流を移動局へ送信する場合に、移動局から基地局へパワー制御コマンドを返送するのに必要なオーバーヘッドを最小にする順方向リンクパワー制御用システムを提供することが望ましい。
【発明の概要】
【０００８】
本発明は、移動体無線通信システムで、基地局の第１のアクチブセットの各基地局から移動局へ送信される第１のデータ流の送信パワーレベルを制御し、基地局の第２のアクチブセットの各基地局から移動局へ送信される第２のデータ流の送信パワーレベルを制御する方法および装置に関する。
【０００９】
第１の実施形態では、パワー制御コマンド流は各基地局からの第１および／または第２の受信されたデータ流にしたがって、第１または第２のアクチブセットの各基地局に対して移動局で形成される。パワー制御信号はパワー制御コマンド流をインターリーブすることにより移動局で形成され、インターリーブされたパワー制御コマンド流はその後、第１および第２のアクチブセットの基地局へ送信される。受信されたパワー制御コマンド流は第１および第２のアクチブセットの所定の基地局で、受信されたパワー制御信号をデインターリーブすることにより形成され、所定の基地局からの第１および第２のデータ流の送信パワーレベルは両者とも、受信されたパワー制御コマンド流にしたがって制御される。したがって、この実施形態では、１つのパワー制御コマンド流が、共通の基地局から移動局へ送信された多数の異なるデータ流（例えば音声データ流とファックスデータ流）の送信パワーレベルを制御するために使用される。
【００１０】
前述の実施形態のさらに別の特性にしたがって、基地局の第２のアクチブセットは基地局の第１のアクチブセットのサブセットであってもよい。この場合、第１のアクチブセット中にあって第２のアクチブセット中にはない各基地局のパワー制御流はこのような基地局からの第１のデータ流のみにしたがって形成される。
【００１１】
さらに別の実施形態にしたがって、本発明は第１および第２のアクチブセットの両者の各基地局へ多数のパワー制御コマンド流を送信するために単一のインターリーブされたパワー制御信号を使用し、各パワー制御コマンド流は各基地局から移動局へ送信された異なるデータ流の送信パワーの制御に使用される。この実施形態では、第１および第２のデータ流は第１および第２のアクチブセットの各基地局から送信され、移動局で受信される。パワー制御コマンド流は第１のアクチブセットの各基地局からの第１の受信されたデータ流にしたがって移動局で構成され、パワー制御コマンド流は第２のアクチブセットの各基地局からの第２の受信されたデータ流にしたがって移動局で構成される。パワー制御信号は次にパワー制御コマンド流をインターリーブすることにより移動局で形成され、インターリーブされたパワー制御信号は移動局から第１および第２のアクチブセットの各基地局へ送信される。第１および第２の受信されたパワー制御コマンド流は所定の基地局で、受信されたパワー制御信号をデインターリーブすることにより第１および第２のアクチブセットの所定の基地局で形成される。第１のデータ流の送信パワーレベルはその後、第１の受信されたパワー制御コマンド流にしたがって所定の基地局から制御され、第２のデータ流の送信パワーレベルは、第２の受信されたパワー制御コマンド流にしたがって所定の基地局から制御される。
【００１２】
前述の実施形態のさらに別の特徴によれば、基地局の第２のアクチブセットは基地局の第１のアクチブセットのサブセットであってもよい。この場合、第１のアクチブセット中にあって第２のアクチブセット中にはない各基地局のパワー制御流はこのような基地局からの第１のデータ流のみにしたがって形成される。
【００１３】
さらに別の特徴によれば、第１および第２の基地局から移動局へ送信される２つの対応するデータ流の信号強度の測定は、２つの基地局から送信された２つの対応するデータ流の一方（または両者）の送信パワーを制御するのに使用されるパワー制御コマンドを決定するために試験される。本発明の特徴はしたがって、第２の（異なる）基地局から移動局へ送信される対応するデータ流の送信パワーを制御するのに使用されるパワー制御コマンドを発生するために、第１の基地局から移動局へ送信されるデータ流の信号強度についての情報を使用する。第１のデータ流は第１および第２の基地局から移動局へ送信され、第２のデータ流は第１の基地局から移動局へ送信される。この実施形態では、第１の基地局から受信された第１のデータ流の信号品質と、第２の基地局から受信された第１のデータ流の信号品質とを監視することによって第１の基地局からの第１のデータ流の送信パワーレベルが移動局において制御される。同様に、第２の基地局から受信された第１のデータ流の信号品質と、第１の基地局から受信された第１のデータ流の信号品質とを監視することによって第２の基地局からの第１のデータ流の送信パワーレベルが移動局において制御される。
【００１４】
さらに別の特徴によれば、第１および第２の基地局から移動局へ送信される２つの対応するデータ流の信号強度の測定は、２つの基地局から送信された２つの対応するデータ流の一方（または両者）の送信パワーを制御するのに使用されるパワー制御コマンドを決定するために試験される。したがって、本発明のこの特徴もまた、第２の（異なる）基地局から移動局へ送信される対応するデータ流の送信パワーを制御するのに使用されるパワー制御コマンドを発生するために、第１の基地局から移動局へ送信されるデータ流の信号強度についての情報を使用する。第１のデータ流は第１および第２の基地局から移動局へ送信され、第２のデータ流は第１の基地局から移動局へ送信される。この実施形態では、第１の基地局から受信された第１のデータ流の信号品質と、第２の基地局から受信された第１のデータ流の信号品質とを監視することによって、第２の基地局からの第１のデータ流の送信パワーレベルが移動局において制御される。第１の基地局から受信された第２のデータ流の信号品質を監視することによって、第１の基地局からの第１および第２のデータ流の送信パワーレベルは移動局において制御される。
【００１５】
先の２つの段落で説明した本発明の特徴は一般化され、それによってシステムは、第１のアクチブセットの各基地局から移動局へ送信される対応するデータ流の送信パワーを制御するのに使用されるパワー制御コマンドを発生するために、第１のアクチブセットの基地局から移動局へ送信される対応するデータ流からの異なる信号強度を使用する。さらに一般的な実施形態では、第１のデータ流は第１のアクチブセットの基地局から移動局へ送信され、第２のデータ流は１以上の基地局の第２のアクチブセットの基地局から移動局へ送信される。第１のセットのパワー制御コマンド流は移動局において形成され、第１のアクチブセットの基地局へ送信され、そのセットの各パワー制御コマンド流は基地局の第１のアクチブセットの全ての基地局から受信された第１のデータ流にしたがって決定される。先の２つの段落で説明した第１および第２の基地局は基地局の第１のアクチブセットに含まれ、第２の基地局は基地局の第２のアクチブセットに含まれ、基地局の第２のアクチブセットは基地局の第１のアクチブセットのサブセットであってもなくてもよい。
【００１６】
さらに別の実施形態では、第１のパワー制御コマンド流は、第２のアクチブセットの基地局のみから移動局で受信された第１および第２のデータ流にしたがって移動局で形成される。第２のパワー制御コマンド流は、第１のアクチブセット中にあって第２のアクチブセット中にはない基地局からの移動局で受信された第１のデータ流または第２のデータ流、或いはその両データ流にしたがって移動局において形成される。移動局はその後、第１および第２のパワー制御コマンド流をインターリーブすることによってインターリーブされたパワー制御コマンドを形成し、そのインターリーブされたパワー制御信号は逆方向リンクで移動局から送信される。インターリーブされたパワー制御信号は第１および第２のアクチブセットの両基地局で受信される。基地局は、受信されインターリーブされたパワー制御信号をデインターリーブすることによって、第１の受信されたパワー制御コマンド流を形成し、受信されインターリーブされたパワー制御信号をデインターリーブすることによって、第２の受信されたパワー制御コマンド流を形成する。第２のアクチブセットの基地局により送信された第１および第２のデータ流の送信パワーレベルはその後、第１の受信されたパワー制御コマンド流にしたがって制御され、第１のアクチブセット中にあって第２のアクチブセット中にはない基地局により送信された第１のデータ流の送信パワーレベルは第２の受信されたパワー制御コマンド流にしたがって制御される。
【００１７】
通信システムが第１および第２のアクチブセットを含んでいるさらに別の実施形態にしたがって、第１のデータ流は第１のアクチブセットの基地局から移動局へ送信され、第２のデータ流は第２のアクチブセットの基地局から移動局へ送信される。この実施形態では、第２のアクチブセットは第１のアクチブセットのサブセットである。第１のパワー制御コマンド流は、第１のアクチブセットの基地局からの移動局で受信された第１のデータ流にしたがって移動局において形成される。第２のパワー制御コマンド流は、第２のアクチブセットの基地局からの移動局で受信された第１のデータ流または第２のデータ流、或いはその両データ流にしたがって移動局において形成される。移動局はその後、第１および第２のパワー制御コマンド流をインターリーブすることによってインターリーブされたパワー制御信号を形成し、このインターリーブされたパワー制御信号は移動局から両アクチブセットの全ての基地局へ送信される。インターリーブされたパワー制御信号は第１および第２のアクチブセットの両者の基地局で受信される。基地局は、受信されインターリーブされたパワー制御信号をデインターリーブすることによって、第１の受信されたパワー制御コマンド流を形成し、受信されインターリーブされたパワー制御信号をデインターリーブすることによって、第２の受信されたパワー制御コマンド流を形成する。第２のアクチブセットにある基地局により送信される第１および第２のデータ流の送信パワーレベルは、第１のコマンド流または両者のパワー制御コマンド流の組合わせを使用して制御される。第１のアクチブセット中にあって第２のアクチブセット中にはない基地局により送信された第１のデータ流の送信パワーレベルは、第１の受信されたパワー制御コマンド流または、第１および第２の受信されたパワー制御コマンド流の組合わせにしたがって制御される。
【００１８】
先の実施形態は、第２のデータ流が断続的であり、第１のアクチブセットの基地局のサブセットだけから送信されるときに、特に有効である。
【００１９】
無線電話通信システムが異なる第１および第２のアクチブセットを含んでいる場合のさらに別の実施形態では、第１のデータ流は第１のアクチブセットの基地局から移動局へ送信され、第２のデータ流は第２のアクチブセットの基地局から移動局へ送信される。単一のパワー制御コマンド流が、第１のアクチブセットの基地局から受信された第１のデータ流にしたがって移動局において形成される。移動局はその後、パワー制御コマンドを有するパワー制御信号を形成し。パワー制御信号は移動局から、両アクチブセットの全ての基地局へ送信される。パワー制御信号は第１および第２のアクチブセットの両者の基地局で受信される。第１のアクチブセットの基地局と第２のアクチブセットの基地局は受信されたパワー制御信号を復号することにより受信されたパワー制御コマンド流を形成する。第１のアクチブセットの基地局により送信された第１のデータ流の送信パワーレベルと、第２のアクチブセットの基地局により送信された第２のデータ流の送信パワーレベルは、その後、受信されたパワー制御コマンド流にしたがって制御される。第１のデータ流と第２のデータ流との間の送信されたパワーの差は別々の機構により調節される。例えばメッセージ送信時間と、移動局から基地局または外部ループまでの時間は現在測定されたＱｏＳと、移動局により復号された後の第２のデータ流の所望のＱｏＳに基づいている。このＱｏＳはフレームエラ−率またはその他である。
【００２０】
先の実施形態の別の実施形態では、パワー制御コマンドは移動局で受信された第１および第２のデータ流の両者に基づいている。
【００２１】
前述の実施形態では、移動局は好ましくは所定の受信されたデータ流に関連するフレームエラ−率または信号対雑音比をモニタすることによって各パワー制御コマンド流を形成する。さらに、第１および第２のパワー制御コマンド流は好ましくはインターリーブパターンにしたがって発生され、各パワー制御コマンド流からのコマンドはインターリーブパターンにより要求とされるときに発生され挿入されるだけである。これによって、送信が新しいコマンドを遅延する余分なコマンドが発生されないことが確実にされる。これはまたインターリーブプロセスが不必要に一方から他方へのパワー制御コマンドを遅延しないことを確実にする。
【図面の簡単な説明】
【００２２】
【図１Ａ】本発明の好ましい実施形態による１以上の基地局から移動局に送信される複数の異なったデータ流の送信パワ−レベルを制御するためのインターリーブされたパワー制御信号を発生する移動無線局の概略図。
【図１Ｂ】図１Ａの移動無線局の別の好ましい実施形態の概略図。
【図１Ｃ】本発明の別の好ましい実施形態による１以上の基地局から移動局に送信される複数の異なったデータ流の送信パワーレベルを制御するためのインターリーブされたパワー制御信号を発生する移動無線局の概略図。
【図１Ｄ】図１Ｃの移動無線局の別の好ましい実施形態の概略図。
【図１Ｅ】本発明の移動無線局の別の実施形態の概略図。
【図１Ｆ】本発明の移動無線局のさらに別の実施形態の概略図。
【図１Ｇ】本発明の移動無線局のさらに別の実施形態の概略図。
【図１Ｈ】本発明の移動無線局のさらに別の実施形態の概略図。
【図１Ｉ】本発明の移動無線局のさらに別の実施形態の概略図。
【図２Ａ】本発明の好ましい実施形態による、複数のインターリーブされたパワー制御信号を複数の移動局から受信し、移動局に送信される異なったデータ流の送信パワーレベルを制御するためにパワー制御信号を使用する本発明の基地局の概略図。
【図２Ｂ】図２Ａの基地局の別の好ましい実施形態の概略図。
【図２Ｃ】本発明の別の好ましい実施形態による、インターリーブされたパワー制御信号を複数の移動局から受信し、移動局に送信される複数のデータ流の送信パワーレベルを制御するためにパワー制御信号を使用する基地局の概略図。
【図２Ｄ】図２Ｃの基地局の別の好ましい実施形態の概略図。
【図２Ｅ】図１Ｆに示されている形態の複数の移動局から形成された複数のパワー制御信号を受信し、移動局に送信される第１および第２のデータ流の送信パワーレベルを制御するためにパワー制御信号を使用する基地局の概略図。
【図２Ｆ】図１Ｆに示されている形態の複数の移動局から形成された複数のパワー制御信号を受信し、移動局に送信される第１および第２のデータ流の送信パワーレベルを制御するためにパワー制御信号を使用する基地局の概略図。
【図２Ｇ】図１Ｇに示されている形態の複数の移動局から形成された複数のパワー制御信号を受信し、移動局に送信される第１および第２のデータ流の送信パワーレベルを制御するためにパワー制御信号を使用する基地局の概略図。
【図２Ｈ】図１Ｇに示されている形態の複数の移動局から形成された複数のパワー制御信号を受信し、移動局に送信される第１のデータ流の送信パワーレベルを制御するためにパワー制御信号を使用する基地局の概略図。
【図２Ｉ】図１Ｈに示されている形態の複数の移動局から形成された粗および微パワー制御信号を受信し、移動局に送信される第１および第２のデータ流の送信パワーレベルを制御するためにパワー制御信号を使用する基地局の概略図。
【図２Ｊ】図１Ｈに示されている形態の複数の移動局から形成された粗パワー制御信号を受信し、移動局に送信される第１のデータ流の送信パワーレベルを制御するためにパワー制御信号を使用する基地局の概略図。
【図２Ｋ】図１Ｉに示されている形態の複数の移動局から形成された粗および微パワー制御信号を受信し、移動局に送信される第１および第２のデータ流の送信パワーレベルを制御するためにパワー制御信号を使用する基地局の概略図。
【図２Ｌ】図１Ｉに示されている形態の複数の移動局から形成された粗パワー制御信号を受信し、移動局に送信される第１のデータ流の送信パワーレベルを制御するためにパワー制御信号を使用する基地局の概略図。
【詳細な説明】
【００２３】
本発明の特徴、目的、利点は図面を伴って以下説明する詳細な説明からさらに明白になるであろう。同一の符号は全体を通して対応する素子で同一である。  
図１Ａは、１以上の基地局から移動無線局へ送信される複数の異なるデータ流120 、120A、122 、122A、124 、124Aの送信パワーレベルを制御するためのインターリーブされたパワー制御ビット流110 を発生する移動無線局100Aを示している。データ流120 、122 、…124 は同一情報（例えば同一の音声送信）を伝播し、第１のアクチブセットの基地局（即ちＢＳ１、ＢＳ２、…ＢＳｎ）から送信される。データ流120A、122A、…124Aは同一情報（例えば同一のインターネットまたはファックス送信）を伝播し、第２のアクチブセットの基地局（即ちＢＳ１、ＢＳ２、…ＢＳｎ）から同時に送信される。種々の別の実施形態に関連して以下さらに十分に説明するように、第２のアクチブセットの基地局は第１のアクチブセットのサブセットであってもよく、またサブセットでなくてもよい。データ流120 、120A、122 、122A、124 、124Aは例えばコード分割多重アクセス（ＣＤＭＡ）または時分割多重アクセス（ＴＤＭＡ）変調を使用して共通の周波数帯域で移動無線局へ送信される。異なる基地局からの多数のデータ流は、例えば移動無線局が２以上の基地局間でソフトハンドオフであるとき、またはダイバーシティ信号が移動局で良好な受信を実現するために使用される場合に、同じ情報の多数の表示を移動無線局へ送信するために使用される。ソフトハンドオフを行うため、または送信ダイバーシティを行うために、同一データ信号を異なる基地局から所定の移動局へ送信する多数のバージョンは技術でよく知られている。
【００２４】
移動局100Aでは、ＢＳ１から受信されたデータ流120 、120Aはパワー制御コマンド発生器130 へ与えられ、このパワー制御コマンド発生器130 は受信されたデータ流からパワー制御コマンドの単一のコマンド流を発生する。図１Ａの実施形態では、パワー制御コマンド発生器130 は監視するためにデータ流120 またはデータ流120A（またはその組合わせ）を随意に選択する。その後、パワー制御コマンド発生器130 は選択されたデータ流に関連する受信された信号対雑音比またはフレームエラ−率（または組合わせが監視されるならば、両データ流120 、120Aに関連する受信された信号対雑音比またはフレームエラ−率の合計）を監視し、この情報に基づいて一連の順方向リンクパワー制御コマンド140 を発生する。コマンド流140 の各パワー制御コマンドは、例えばデータ流120 、120Aの次のフレームを移動無線局100Aへ送信するために使用される送信パワーレベルをＢＳ１が増加または減少すべきであることを示すＢＳ１のコマンドを表している。受信された信号対雑音比または１つの受信された信号のフレームエラ−率を使用してこのようなパワー制御コマンド流を導出することは技術でよく知られている。データ流120 、120Aの組合わせが監視される場合、各データ流に関連される受信された信号対雑音比の合計は、パワー制御コマンド流を発生するためにデータ流120 、120Aの組合わせから予測される所望の信号対雑音比の合計を表したしきい値と比較されることが好ましい。図１Ａの実施形態では、１つの共通のパワー制御コマンド流140 はしたがって２つのデータ流の一方または両者のデータ流を使用して両データ流120 、120Aに対して発生される。本発明のこの特徴は、多数のデータ流が順方向リンクトラフィックチャンネルで基地局から所定の移動局へ送信されるときに、トラフィックチャンネルのフェ−ディング状態が類似の方法で基地局から移動局へ送信される全てのデータ流に影響を与える可能性があり、したがって単一（または共通の）パワー制御コマンド流が基地局から所定の移動局へ送信される全てのデータ流の送信パワーの制御に使用されることができることを認識する。
【００２５】
図１Ａを参照すると、ＢＳ２から受信されたデータ流122 、122Aはパワー制御コマンド発生器132 へ与えられ、このパワー制御コマンド発生器132 は受信されたデータ流からパワー制御コマンドの１つのコマンド流を発生する。図１Ａの実施形態では、パワー制御コマンド発生器132 は監視するためデータ流122 またはデータ流122A（またはその組合わせ）を随意に選択する。その後、パワー制御コマンド発生器132 は選択されたデータ流に関連する受信された信号対雑音比またはフレームエラ−率（または組合わせが監視されるならば、両データ流122 、122Aに関連する受信された信号対雑音比またはフレームエラ−率の合計）を監視し、この情報に基づいて一連の順方向リンクパワー制御コマンド142 を発生する。コマンド流142 の各パワー制御コマンドは、例えばデータ流122 、122Aの次のフレームを移動無線局100 へ送信するために使用される送信パワーレベルをＢＳ２が増加または減少すべきであることを示すＢＳ２のコマンドを表している。受信された信号対雑音比または１つの受信された信号のフレームエラ−率を使用してこのようなパワー制御コマンド流を導出することは技術でよく知られている。データ流122 、122Aの組合わせが監視される場合、各データ流に関連される受信された信号対雑音比の合計は、パワー制御コマンド流を発生するためにデータ流122 、122Aの組合わせから予測される所望の信号対雑音比の合計を表したしきい値と比較されることが好ましい。図１Ａの実施形態では、１つの共通のパワー制御コマンド流142 は２つのデータ流の一方または両者のデータ流を使用して両データ流122 、122Aに対して発生される。
【００２６】
ＢＳｎから受信されたデータ流124 、124Aはパワー制御コマンド発生器134 へ与えられ、このパワー制御コマンド発生器134 は受信されたデータ流からパワー制御コマンドの１つのコマンド流を発生する。図１Ａの実施形態では、パワー制御コマンド発生器134 は監視するためデータ流124 またはデータ流124A（またはその組合わせ）を随意に選択する。その後、パワー制御コマンド発生器134 は選択されたデータ流に関連する受信された信号対雑音比またはフレームエラ−率（または組合わせが監視されるならば、両データ流124 、124Aに関連する受信された信号対雑音比またはフレームエラ−率の合計）を監視し、この情報に基づいて一連の順方向リンクパワー制御コマンド144 を発生する。コマンド流144 の各パワー制御コマンドは、例えばデータ流124 、124Aの次のフレームを移動無線局100 へ送信するために使用される送信パワーレベルをＢＳｎが増加または減少すべきであることを示すＢＳｎへのコマンドを表している。受信された信号対雑音比または１つの受信された信号のフレームエラ−率を使用してこのようなパワー制御コマンド流を導出することは技術でよく知られている。データ流124 、124Aの組合わせが監視される場合、各データ流に関連される受信された信号対雑音比の合計は、パワー制御コマンド流を発生するためにデータ流124 、124Aの組合わせから予測される所望の信号対雑音比の合計を表したしきい値と比較されることが好ましい。図１Ａの実施形態では、１つの共通のパワー制御コマンド流144 は２つのデータ流の一方または両者のデータ流を使用して両データ流124 、124Aに対して発生される。
【００２７】
３つの基地局からのデータ流が移動局100Aにより受信されているように示されているが、移動局100 は３よりも多数（または少数）の異なる基地局からデータ信号を受信するように構成されてもよい。
【００２８】
パワー制御コマンド流140 、142 、144 はインターリーバ制御装置148 により制御されるマルチプレクサ146 へ与えられる。マルチプレクサ146 は別々のパワー制御コマンド流140 、142 、144 を単一のインターリーブされたパワー制御ビット流110 へ組合わせる。送信機150 はインターリーブされたパワー制御ビット流110 をパワー制御チャンネルまたはサブチャンネルで基地局（ＢＳ１、ＢＳ２…ＢＳｎ）へ返送する。
【００２９】
本発明の好ましい実施形態では、第１のセットのアクチブな基地局の各基地局は第１のデータ流（例えば図１Ａの信号120 、122 、124 ）のバージョンを移動局100 へ同時に送信し、第２のセットのアクチブな基地局の各基地局は第２のデータ流（例えば信号120A、122A、124A）のバージョンを移動局100 へ同時に送信する。各アクチブセットの基地局は好ましくは移動局100 付近の基地局からのパイロット信号を監視し、基地局からのパイロット信号がしきい値を超えるかそれよりも下に低下するときにアクチブセットに基地局を付加またはそこから消去することにより維持される。基地局のアクチブセットを維持するために基地局からのパイロット信号を使用することは技術でよく知られている。好ましい実施形態では、アクチブ基地局のセットは同一である必要はないが、アクチブな基地局の１つのセット（例えば第２のセット）は典型的にアクチブな基地局の他のセット（第１のセット）のサブセットである。以下説明するように、本発明の幾つかの実施形態では、基地局の第２のアクチブセットは第１のアクチブセットのサブセットではない。
【００３０】
図１Ａでは、第１のデータ流のバージョン（例えば図１Ａの信号120 、122 、124 ）を同時に移動局へ送信するアクチブ基地局の第１のセットは、第２のデータ流のバージョン（例えば図１Ａの信号120A、122A、124A）を同時に移動局へ送信するアクチブ基地局の第２のセットと同一であった。図１Ｂは、異なるアクチブ基地局のセットが異なるデータ流を移動無線局へ送信している図１Ａの移動無線局の別の好ましい実施形態を示している。図１Ｂでは、移動無線局100BはＢＳ１から異なるデータ流120 、120Aを受信し、ＢＳ２から１つデータ流122 だけを受信し、ＢＳｎから１つのデータ流124 だけを受信している。したがって、図１Ｂでは、基地局の第１のアクチブセット（即ちＢＳ１、ＢＳ２、ＢＳｎ）は第１のデータ流のバージョン（即ち図１Ｂの信号120 、122 、124 ）を移動局100Bへ同時に送信し、ＢＳ１だけから形成されるアクチブ基地局の第２のセットは第２のデータ流（即ち信号120 ）を移動局100Aへ送信する。データ流を移動局へ送信するために使用される基地局のアクチブセットは、例えば移動局がアクチブセットの異なる基地局間でソフトハンドオフであるとき、図１Ｂで示されているように同一でなくてもよい。図１Ｂで示されている実施形態では、パワー制御コマンド発生器132A、134Aは前述したようにパワー制御コマンド流142 、144 を発生するためにそれぞれデータ流122 、124 を監視する。
【００３１】
図１Ｃは、本発明の別の好ましい実施形態にしたがって１以上の基地局から移動局へ送信される複数の異なるデータ流の送信パワーレベルを制御するためのインターリーブされたパワー制御信号110 を発生する移動無線局100Cを示している。図１Ａと１Ｂの実施形態と対照的に、図１Ｃの実施形態では、同一の基地局から移動局へ送信される異なるデータ流の送信パワーレベルはインターリーブされたパワー制御信号に含まれるパワー制御コマンドの異なるコマンド流を使用して制御される。
【００３２】
したがって、移動局100Cでは、ＢＳ１から受信されたデータ流120 、120Aはパワー制御コマンド発生器131 へ与えられ、このパワー制御コマンド発生器131 は受信された各データ流からパワー制御コマンドの異なるコマンド流を発生する。パワー制御コマンド発生器131 はデータ流120 に関連する受信された信号対雑音比またはフレームエラ−率を監視し、この情報に基づいて一連の順方向リンクパワー制御コマンド140Aを発生する。各パワー制御コマンド発生器131 は、データ流120Aに関連する受信された信号対雑音比またはフレームエラ−率を別々に監視し、この情報に基づいて別々の一連の順方向リンクパワー制御コマンド140Bを発生する。コマンド流140A、140Bの各パワー制御コマンドは例えば、データ流120 、120Aの次のフレームを移動無線局100 へ送信するために使用される送信パワーレベルをＢＳ１が増加または減少すべきであることを示すＢＳ１へのコマンドを表している。受信された信号対雑音比または受信された信号のフレームエラ−率を使用してこのようなパワー制御コマンド流を得ることは技術でよく知られている。
【００３３】
図１Ｃを参照すると、ＢＳ２から受信されたデータ流122 、122Aはパワー制御コマンド発生器133 へ与えられ、このパワー制御コマンド発生器133 は受信された各データ流からパワー制御コマンドの異なるコマンド流を発生する。パワー制御コマンド発生器133 はデータ流122 に関連する受信された信号対雑音比またはフレームエラ−率を監視し、この情報に基づいて一連の順方向リンクパワー制御コマンド142Aを発生する。各パワー制御コマンド発生器133 は、データ流122Aに関連する受信された信号対雑音比またはフレームエラ−率を別々に監視し、この情報に基づいて別々の一連の順方向リンクパワー制御コマンド142Bを発生する。コマンド流142A、142Bの各パワー制御コマンドは例えば、データ流122 、122Aの次のフレームを移動無線局100 へ送信するために使用される送信パワーレベルをＢＳ２が増加または減少すべきであることを示すＢＳ２へのコマンドを表している。
【００３４】
ＢＳｎから受信されたデータ流124 、124Aはパワー制御コマンド発生器135 へ与えられ、このパワー制御コマンド発生器135 は受信された各データ流からパワー制御コマンドの異なるコマンド流を発生する。パワー制御コマンド発生器135 はデータ流124 に関連する受信された信号対雑音比またはフレームエラ−率を監視し、この情報に基づいて一連の順方向リンクパワー制御コマンド144Aを発生する。パワー制御コマンド発生器135 は、データ流124Aに関連する受信された信号対雑音比またはフレームエラ−率を別々に監視し、この情報に基づいて別々の一連の順方向リンクパワー制御コマンド144Bを発生する。コマンド流144A、144Bの各パワー制御コマンドは例えば、データ流124 、124Aの次のフレームを移動無線局100 へ送信するために使用される送信パワーレベルをＢＳｎが増加または減少すべきであることを示すＢＳｎへのコマンドを表している。
【００３５】
３つの基地局からのデータ流は移動局100Cにより受信されるものとして示されているが、移動局100Cは３よりも多数（または少数）の異なる基地局からのデータ信号を受信するように構成されてもよいことが当業者により理解されよう。
【００３６】
パワー制御コマンド流140A、140B、142A、142B、144A、144Bはインターリーバ制御装置148 により制御されるマルチプレクサ146 へ与えられる。マルチプレクサ146 は別々のパワー制御コマンド流140A、140B、142A、142B、144A、144Bを１つのインターリーブされたパワー制御ビット流110 へ結合する。送信機150 はインターリーブされたパワー制御ビット流110 をパワー制御チャンネルまたはサブチャンネルで基地局（ＢＳ１，ＢＳ２，…ＢＳｎ）へ送返す。
【００３７】
図１Ｃでは、第１のデータ流のバージョン（例えば図１Ｃの信号120 、122 、124 ）を移動局へ同時に送信するために使用される第１のセットのアクチブ基地局は、第２のデータ流のバージョン（例えば図１Ｃの信号120A、122A、124A）を移動局へ同時に送信するために使用される第２のセットのアクチブ基地局と同一であった。図１Ｄは図１Ｃの移動無線局の別の好ましい実施形態を示しており、ここでは異なるセットのアクチブ基地局は異なるデータ流を移動無線局へ送信する。図１Ｄでは、移動無線局100DはＢＳ１から異なるデータ流120 、120Aと、ＢＳ２からただ１つのデータ流122 と、ＢＳｎからただ１つのデータ流124 とを受信している。したがって、図１Ｄでは、基地局の第１のアクチブセット（即ちＢＳ１、ＢＳ２、ＢＳｎ）は、第１のデータ流のバージョン（例えば図１Ｄの信号120 、122 、124 ）を移動局へ同時に送信し、ＢＳ１だけから形成される基地局の第２のアクチブセットは第２のデータ流（即ち信号120 ）を移動局100Dへ送信する。例えば、移動局がアクチブセットの異なる基地局間でソフトハンドオフであるとき、データ流を移動局へ送信するために使用される基地局のアクチブセットは図１Ｄで示されているように同一ではない。図１Ｄで示されている実施形態では、パワー制御コマンド発生器133Aと135Aはそれぞれ、前述したようにパワー制御コマンド流142A、144Aを発生するためにデータ流122 、124 を監視する。
【００３８】
図１Ｅは本発明の別の実施形態にしたがってインターリーブされたパワー制御ビット流を形成する移動無線局100Eを示している。この実施形態では、基地局の第１のアクチブセット（即ちＢＳ１、ＢＳ２、ＢＳｎ）は、第１のデータ流のバージョン（例えば信号120 、122 、124 ）を移動局100Eへ同時に送信し、基地局の第２のアクチブセット（ＢＳ１、ＢＳ２、ＢＳｍ）は第２のデータ流（即ち信号120A、122A、125 ）を移動局100Eへ同時に送信する。パワー制御コマンド発生器160 は第１のアクチブセットの各基地局から第１のデータ流を制御するための別々のパワー制御コマンド流を発生する。したがって、パワー制御コマンド流160AはＢＳ１から第１のデータ流の送信パワーを制御するために使用され、パワー制御コマンド流160BはＢＳ２から第１のデータ流の送信パワーを制御するために使用され、パワー制御コマンド流160NはＢＳｎから第１のデータ流の送信パワーを制御するために使用される。
【００３９】
パワー制御コマンド発生器160 は、第１のアクチブセットの多数の基地局から受信された第１のデータ流の信号品質を監視することにより各出力パワー制御コマンド流（即ちコマンド流160A、160B…160N）を形成する。したがって例えば第２の基地局（ＢＳ２）からの第１のデータ流122 の送信パワーレベルを制御するためのパワー制御コマンド流160Bは、第２の基地局（ＢＳ２）から受信された第１のデータ流122 の信号品質と、第１の基地局（ＢＳ１）から受信された第１のデータ流120 の信号品質と、基地局ＢＳｎから受信された第１のデータ流124 の信号品質を監視することにより形成される。同様に、第１の基地局（ＢＳ１）からの第１のデータ流120 の送信パワーレベルを制御するためのパワー制御コマンド流160Aは、第１の基地局（ＢＳ１）から受信された第１のデータ流120 の信号品質と、第２の基地局（ＢＳ２）から受信された第１のデータ流122 の信号品質と、基地局ＢＳｎから受信された第１のデータ流124 の信号品質を監視することにより形成される。
【００４０】
１実施形態では、各パワー制御コマンド流160A、160B…160Nを発生するためのパワー制御コマンド発生器160 により使用されるアルゴリズムを以下説明する。最初に、パワー制御コマンド発生器160 は移動局100Eへの第１のデータ流の最高の総信号対雑音比（ＳＮＲ）を与えている第１のアクチブセットの基地局（ＢＳhighest ）を識別する。次に、第１のアクチブセットの各基地局から受信された第１のデータ流に対するＳＮＲの合計を表す全体値は、移動局100Eが第１のデータ流の第１のアクチブセットの全ての基地局から受信すると予測される所望の総ＳＮＲ値を表すしきい値と比較される。この比較に基づいて、パワー制御コマンド発生器160 はＢＳhighest から第１のデータ流のパワー制御コマンド（即ちパワーアップ、パワーダウンまたはパワー保持コマンド）を発生し、このパワー制御コマンド（ＰＣBS-Highest）はその後、ＢＳhighest に関連するパワー制御コマンド流、即ちコマンド流160A、160B…160Nを使用してＢＳhighest へ送信される。次に、パワー制御コマンド発生器160 は、ＰＣBS-HighestがＢＳhighest により処理された後、移動局100Eが第１のアクチブセットの全ての基地局から受信すると予測される第１のデータ流のＳＮＲの合計を表す第１の予測されたＳＮＲ値を発生する。パワー制御コマンド発生器160 はまた、第１のデータ流の第２の最高の総ＳＮＲを移動局100Eへ与えている第１のアクチブセットの基地局（ＢＳsecond-highest）を識別する。その後、第１の予測されたＳＮＲ値は前述したようにしきい値と比較され、この比較に基づいて、パワー制御コマンド発生器160 はＢＳsecond-highestから第１のデータ流のパワー制御コマンド（即ちパワーアップ、パワーダウンまたはパワー保持コマンド）を発生し、このパワー制御コマンド（ＰＣBS-Second-Highest ）はその後、ＢＳsecond-highestに関連するパワー制御コマンド流、即ちコマンド流160A、160Bまたは…160Nを使用してＢＳsecond-highestへ送信される。次に、パワー制御コマンド発生器160 は、ＰＣBS-HighestとＰＣBS-Second-Highest がＢＳhighest により処理された後、移動局100Eが第１のアクチブセットの全ての基地局から受信すると予測される第１のデータ流に対するＳＮＲの合計を表す第２の予測されたＳＮＲ値を発生する。パワー制御コマンド発生器160 はまた、第１のデータ流に対する第３の最高の総ＳＮＲを移動局100Eへ与えている第１のアクチブセットの基地局（ＢＳthird-highest ）を識別する。その後、第２の予測されたＳＮＲ値が前述したようにしきい値と比較され、この比較に基づいて、パワー制御コマンド発生器160 はＢＳthird-highest からの第１のデータ流のパワー制御コマンド（即ちパワーアップ、パワーダウンまたはパワー保持コマンド）を発生し、このパワー制御コマンド（ＰＣBS-Third-Highest）はその後、ＢＳthird-highest に関連するパワー制御コマンド流、即ちコマンド流160A、160Bまたは…160Nを使用してＢＳthird-highest へ送信される。このプロセスは、パワー制御コマンド発生器160 が第１のアクチブセットの各基地局のパワー制御コマンドを発生するまで反復的な方法で前述したように繰返される。
【００４１】
図１Ｅを参照すると、パワー制御コマンド発生器162 は第２のアクチブセットの各基地局からの第２のデータ流を制御するための１つの（共通の）パワー制御コマンド流162Aを発生する。したがって、パワー制御コマンド流162AはＢＳ２からの第２のデータ流の送信パワーと、ＢＳ２からの第２のデータ流の送信パワーと、ＢＳｍからの第２のデータ流の送信パワーとを制御するために使用される。パワー制御コマンド発生器162 は、第２のアクチブセットの全ての基地局から受信された第２のデータ流の信号品質を監視することによりパワー制御コマンド流162 を形成する。１実施形態では、パワー制御コマンド流162Aを発生するためのパワー制御コマンド発生器162 により使用されるアルゴリズムを以下説明する。パワー制御コマンド発生器162 は第２のアクチブセットの各基地局から受信された第２のデータ流に対してＳＮＲの合計を表す総値を計算する。この合計は移動局100Eが第２のデータ流の第２のアクチブセットの全ての基地局から受信すると予測される所望の総ＳＮＲ値を表すしきい値と比較される。この比較に基づいて、パワー制御コマンド発生器162 は第２のデータ流に対するパワー制御コマンド（即ちパワーアップ、パワーダウンまたはパワー保持コマンド）を発生し、このパワー制御コマンドはその後、コマンド流162Aを使用して第２のアクチブセットの基地局へ送信される。
【００４２】
パワー制御コマンド流160A、160B…160Nと162Aはインターリーバ制御装置148 により制御されるマルチプレクサ146 へ与えられる。マルチプレクサ146 は別々のパワー制御コマンド流を１つのインターリーブされたパワー制御ビット流110 へ組合わせる。送信機150 はインターリーブされたパワー制御ビット流110 をパワー制御チャンネルまたはサブチャンネルで第１および第２のアクチブセットの基地局へ返送する。
【００４３】
図１Ｆは、本発明のさらに別の実施形態にしたがって、インターリーブされたパワー制御ビット流を形成する移動無線局100Fを示している。この実施形態では、第１のセットのアクチブ基地局（ＢＳ１、ＢＳ２）は第１のデータ流（例えば信号120 、122 ）のバージョンを移動局100Fへ同時に送信し、第２のセットのアクチブ基地局（ＢＳ１）は第２のデータ流（信号120A）を移動局100Fへ送信する。この実施形態では、第２の基地局（ＢＳ２）からの第１のデータ流122 の送信パワーレベルは、第１の基地局から受信された第１のデータ流の信号品質と第２の基地局から受信された第１のデータ流の信号品質とを監視することにより移動局100Fで制御される。しかしながら、図１Ｅの実施形態と対照的に、第１の基地局からの第１および第２のデータ流（120 、120A）の送信パワーレベルは第１の基地局から受信された第２のデータ流120Aのみの信号品質を監視することによって移動局で制御される。
【００４４】
図１Ｆを参照すると、パワー制御コマンド発生器170 は、第１のアクチブセットの多数の基地局から受信された第１のデータ流の信号品質を監視することにより出力パワー制御コマンド流170Aを形成する。したがって、例えば第２の基地局（ＢＳ２）から第１データ流122 の送信パワーレベルを制御するためのパワー制御コマンド流170Aは、第２の基地局（ＢＳ２）から受信された第１のデータ流122 の信号品質と、第１の基地局（ＢＳ１）から受信された第１のデータ流120 の信号品質を監視することにより形成される。１実施形態では、パワー制御コマンド流170Aを発生するためのパワー制御コマンド発生器170 により使用されるアルゴリズムを以下説明する。パワー制御コマンド発生器170 は第１のアクチブセット中の各基地局から受信された第１のデータ流に対するＳＮＲの合計を表す全体値を計算する。この合計は移動局100Fが第１のデータ流の第１のアクチブセットの全ての基地局から受信すると予測される所望の総ＳＮＲ値を表すしきい値と比較される。この比較に基づいて、パワー制御コマンド発生器170 はパワー制御コマンド（即ちパワーアップ、パワーダウンまたはパワー保持コマンド）を発生し、このパワー制御コマンドはその後、コマンド流170Aを使用して送信される。
【００４５】
パワー制御コマンド発生器172 は第１の基地局から第２のデータ流120Aに関連する受信された信号対雑音比またはフレームエラ−率を監視し、この情報に基づいて順方向リンクパワー制御コマンド流172Aを発生する。前述したように、受信された信号の受信された信号対雑音比またはフレームエラ−率を使用してこのようなパワー制御コマンド流を得る技術はよく知られている。
【００４６】
パワー制御コマンド流170A、172Aはインターリーバ制御装置148 により制御されるマルチプレクサ146 へ与えられる。マルチプレクサ146 は別々のパワー制御コマンド流を単一のインターリーブされたパワー制御ビット流110 へ組合わせる。送信機150 はインターリーブされたパワー制御ビット流110 をパワー制御チャンネルまたはサブチャンネルで第１および第２のアクチブセットの基地局へ返送する。
【００４７】
図１Ｇは、本発明のさらに別の実施形態にしたがって、インターリーブされたパワー制御ビット流を形成する移動無線局100Gを示している。この実施形態では、第１のセットのアクチブ基地局（ＢＳ１、ＢＳ２…ＢＳｎ）は第１のデータ流のバージョンを移動局100Gへ同時に送信し、第２のセットのアクチブ基地局（ＢＳ１、ＢＳ２…ＢＳｍ）は第２のデータ流のバージョンを移動局100Gへ送信する。この実施形態では、第１（共通）のパワー制御コマンド流180Aは、第２のアクチブセットの各基地局から送信された第１のデータ流（集合的に121 とラベルを付けられている）のバージョンと、第２のアクチブセットの各基地局から送信された第２のデータ流（集合的に123 とラベルを付けられている）バージョンから発生される。パワー制御コマンド流180Aはその後、第２のアクチブセットの各基地局からの第２のデータ流（集合的に121 とラベルを付けられている）と、第２のアクチブセットの各基地局からの第１のデータ流（集合的に123 とラベルを付けられている）の送信パワーレベルを制御するために使用される。第２（共通）のパワー制御コマンド流182Aは、第２のアクチブセットではなく、第１のアクチブセットの各基地局からの第１のデータ流（集合的に125 とラベルを付けられている）から発生され、その後、第２のアクチブセットではなく、第１のアクチブセットの各基地局からの第１のデータ流の送信パワーレベルを制御するために使用される。
【００４８】
さらに図１Ｇを参照すると、パワー制御コマンド発生器180 は、第２のアクチブセットの各基地局から送信された第１のデータ流と、第２のアクチブセットの各基地局から送信された第２のデータ流をそれぞれ表しているトラフィック信号121 と123 の信号品質を同時に監視することにより１つ（共通）の出力パワー制御コマンド流180Aを形成する。１実施形態では、パワー制御コマンド流180Aを発生するためのパワー制御コマンド発生器180 により使用されるアルゴリズムを以下説明する。パワー制御コマンド発生器180 は第２のアクチブセットの各基地局から受信された第１のデータ流（即ちデータ流121 ）のＳＮＲの合計を表す全体値を計算する。この合計値は、第１のデータ流に対する第２のアクチブセットの全ての基地局から移動局が受信することを予測されている所望の全ＳＮＲ値をい表している第１のしきい値と比較する。パワー制御コマンド発生器180 はまた第２のアクチブセットの各基地局から受信された第２のデータ流（即ちデータ流123 ）に対するＳＮＲの合計を表す全体値を計算する。この合計値は移動局100Gが第２のデータ流の第２のアクチブセットの全ての基地局から受信すると予測される所望の総ＳＮＲ値を表す第２のしきい値と比較される。この比較で、しきい値が超過されていないならば、パワー制御コマンド発生器180 はコマンド流180Aを使用して送信されるパワーアップを発生し、代わりに、この比較で、しきい値が超過されているならば、パワー制御コマンド発生器180 はコマンド流180Aを使用して送信されるパワーダウンを発生する。
【００４９】
パワー制御コマンド発生器182 は第２のアクチブセットではなく第１のアクチブセットの各基地局から送信された第１のデータ流をそれぞれ表しているトラフィック信号125 の信号品質を同時に監視することにより１つ（共通）の出力パワー制御コマンド流182Aを形成する。１実施形態では、パワー制御コマンド流182Aを発生するためのパワー制御コマンド発生器182 により使用されるアルゴリズムを以下説明する。パワー制御コマンド発生器182 は第２のアクチブセットではなく第１のアクチブセットの各基地局から受信された第１のデータ流に対するＳＮＲの合計を表す合計値を計算する。この合計値は移動局100Gが第１のデータ流で第２のアクチブセットではなく第１のアクチブセットの全ての基地局から受信すると予測される所望の総ＳＮＲ値を表すしきい値と比較される。この比較に基づいて、パワー制御コマンド発生器182 はパワー制御コマンド（即ちパワーアップ、パワーダウンまたはパワー保持コマンド）を発生し、このパワー制御コマンドはその後、コマンド流182Aを使用して送信される。パワー制御コマンド流180A、182Aはインターリーバ制御装置148 により制御されるマルチプレクサ146 へ与えられる。マルチプレクサ146 は別々のパワー制御コマンド流を１つのインターリーブされたパワー制御ビット流110 へ組合わせる。送信機150 はインターリーブされたパワー制御ビット流110 をパワー制御チャンネルまたはサブチャンネルで第１および第２のアクチブセットの基地局へ返送する。
【００５０】
図１Ｈは、本発明のさらに別の実施形態にしたがって、インターリーブされたパワー制御ビット流を形成する移動無線局100Hを示している。この実施形態では、第１のセットのアクチブ基地局（ＢＳ１、ＢＳ２…ＢＳｎ）は第１のデータ流のバージョンを移動局100Hへ同時に送信し、第２のセットのアクチブ基地局（ＢＳ１、ＢＳ２…ＢＳｍ）は第２のデータ流のバージョンを移動局100Hへ送信する。この実施形態では、第１（共通）のパワー制御コマンド流184Aは、第１のアクチブセットの各基地局から送信された第１のデータ流（集合的に177 とラベルを付けられている）のバージョンから発生される。パワー制御コマンド流184Aは、粗パワー制御コマンドを含んでいる。以下詳しく説明するように、粗パワー制御コマンド流184Aは第１および第２のアクチブセットの各基地局からの第１および第２のデータ流（集合的に177 、178 とラベルを付けられている）の送信パワーレベルを制御するために使用される。第２（共通）のパワー制御コマンド流186Aは、第２のアクチブセットの各基地局からの第１のデータ流（集合的に177Aとラベルを付けられている）から発生される。信号177Aは信号170 のサブセットを表している。パワー制御コマンド流186Aは、微パワー制御コマンドを含んでいる。以下十分に説明するように、微パワー制御コマンド流186Aは、粗パワー制御流184Aと組合わせて、第２のアクチブセットの各基地局から送信された第２のデータ流（信号178 ）の送信パワーレベルを制御し、第２のアクチブセットの各基地局から送信された第１のデータ流（信号177A）の送信パワーレベルを制御するために使用される。
【００５１】
図１Ｈを参照すると、パワー制御コマンド発生器184 は、第１のアクチブセットの各基地局から送信された第１のデータ流を表しているトラフィック信号177 の信号品質を同時に監視することにより１つ（共通）の粗出力パワー制御コマンド流184Aを形成する。１実施形態では、パワー制御コマンド流184Aを発生するためのパワー制御コマンド発生器184 により使用されるアルゴリズムを以下説明する。パワー制御コマンド発生器184 は第１のアクチブセットの各基地局から受信された第１のデータ流のＳＮＲの合計を表す全体値を計算する。この合計値は移動局100Hが第１のデータ流の第１のアクチブセットの全ての基地局から受信すると予測される所望の総ＳＮＲ値を表す第２のしきい値と比較される。この比較に基づいて、パワー制御コマンド発生器184 はパワー制御コマンド（即ちパワーアップ、パワーダウンまたはパワー保持コマンド）を発生し、このパワー制御コマンドはその後、コマンド流184Aを使用して送信される。
【００５２】
１実施形態では、パワー制御コマンド流184Aを発生するためにパワー制御コマンド流184Aにより使用されるアルゴリズムを以下説明する。パワー制御コマンド発生器184Aは、第１のアクチブセットの各基地局から受信された第１のデータ流に対するＳＮＲの合計を表す合計値を計算する。この合計値は移動局100Hが第１のデータ流の第１のアクチブセットの全ての基地局から受信すると予測される所望の総ＳＮＲ値を表す第２のしきい値と比較される。この比較に基づいて、パワー制御コマンド発生器184 はパワー制御コマンド（即ちパワーアップ、パワーダウンまたはパワー保持コマンド）を発生し、このパワー制御コマンドはその後、コマンド流184Aを使用して送信される。
【００５３】
パワー制御コマンド発生器186 は、第２のアクチブセット内の各基地局から送信された第１のデータ流と、第２のアクチブセット内の各基地局から送信された第２のデータ流とをそれぞれ表すトラフィック信号177Aおよび178 の信号品質を同時に監視することにより単一の（共通の）微パワー制御コマンド流186Aを形成する。１実施形態において、パワー制御コマンド流186Aを発生するためにパワー制御コマンド発生器186 により使用されるアルゴリズムは次のとおりである。パワー制御コマンド186 は、第２のアクチブセット内の各基地局から受信された第１のデータ流（すなわち、トラフィック信号流177Aのみ）に対するＳＮＲの和を表す合計値を計算する。この和は、移動局100Hが第２のアクチブセット内の全ての基地局から第１のデータ流として受信すると予測される所望の合計ＳＮＲ値を表すしきい値と比較される。この比較に基づいて、パワー制御コマンド発生器186 はパワー制御コマンド（すなわち、パワーアップ、パワーダウンまたはパワー保持コマンド）を発生し、そのパワー制御コマンドはその後パワー制御コマンド流186Aを使用して送信される。
【００５４】
別の実施形態において、パワー制御コマンド流186Aを発生するためにパワー制御コマンド発生器186 により異なったアルゴリズムが使用される。この別の実施形態において、パワー制御コマンド186 は、第２のアクチブセット内の各基地局から受信された第１のデータ流（すなわち、トラフィック信号流177A）に対するＳＮＲと、第２のアクチブセット内の各基地局から受信された第２のデータ流（すなわち、トラフィック信号流178 ）に対するＳＮＲのスケールされた和を表す合計値を計算する。この和は、移動局100Hが第２のアクチブセット内の基地局から第１のデータ流として、および第２のアクチブセット内の基地局から第２のデータ流として受信すると予測される所望の合計ＳＮＲ値を表すしきい値と比較される。この比較に基づいて、パワー制御コマンド発生器186 はパワー制御コマンド（すなわち、パワーアップ、パワーダウンまたはパワー保持コマンド）を発生し、そのパワー制御コマンドはその後パワー制御コマンド流186Aを使用して送信される。
【００５５】
パワー制御コマンド流184Aおよび186Aは、インターリーバ制御装置148 により制御されるマルチプレクサ146 に供給される。マルチプレクサ146 は分離しているパワー制御コマンド流を併合して単一のインターリーブされたパワー制御ビット流110 にする。送信機150 はインターリーブされたパワー制御ビット流110 をパワー制御チャンネルまたはサブチャンネルで第１および第２のアクチブセット内の基地局に返送する。
【００５６】
図１Ｉは、本発明のさらに別の実施形態によるインターリーブされたパワー制御ビット流を形成する移動無線局100Iを示している。再び、この実施形態において、第１のアクチブセットの基地局（ＢＳ１，ＢＳ２，…ＢＳｎ）は第１のデータ流のバージョンを移動局100Iに同時に送信し、第２のアクチブセットの基地局（ＢＳ１，ＢＳ２，…ＢＳｍ）は第２のデータ流のバージョンを移動局100Iに同時に送信する。この実施形態において、第１の（共通の）パワー制御コマンド流188Aは、第１のアクチブセット内の各基地局から送信された第１のデータ流のバージョン（まとめて符号177 で示す）と、第２のアクチブセット内の各基地局から送信された第２のデータ流のバージョン（まとめて符号178 で示す）とから生成される。パワー制御コマンド流188Aは、粗パワー制御コマンドを含んでいる。以下さらに詳細に説明するように、粗パワー制御コマンド流188Aは、第１および第２のアクチブセット内の各基地局からの第１および第２のデータ流（まとめて符号177 、178 で示す）の送信パワーレベルを制御するために使用される。第２の（共通の）パワー制御流188Bは、第１のアクチブセット内の各基地局から送信された第１のデータ流（信号177 ）と第２のアクチブセット内の各基地局から送信された第２のデータ流（信号178 ）から生成される。パワー制御コマンド流188Bは、微パワー制御コマンドを含んでいる。以下さらに詳細に説明するように、微パワー制御コマンド流188Bは、第２のアクチブセット内のものであるが第１のアクチブセット内のものではない各基地局から送信された第２のデータ流の送信パワーレベルを制御するために粗パワー制御コマンド流188Aと組合せて使用される。
【００５７】
さらに図１Ｉを参照すると、パワー制御コマンド発生器188 は、第１のアクチブセット内の各基地局から送信された第１のデータ流と第２のアクチブセット内の各基地局から送信された第２のデータ流とをそれぞれ表すトラフィック信号177 、178 の信号品質を同時に監視することにより、単一の（共通の）粗パワー制御コマンド流188Aと単一の（共通の）微パワー制御コマンド流188Bとを形成する。１実施形態において、パワー制御コマンド流188Aを発生するためにパワー制御コマンド発生器188 によって使用されるアルゴリズムは次のとおりである。パワー制御コマンド発生器188 は、第１のアクチブセット内の各基地局から受信された第１のデータ流（すなわち、トラフィック信号流177 のみ）に対するＳＮＲの和を表す合計値を計算する。この和は、移動局100Iが第１のアクチブセット内の全ての基地局から第１のデータ流として受信すると予測される所望の合計ＳＮＲ値を表すしきい値と比較される。この比較に基づいて、パワー制御コマンド発生器188 はパワー制御コマンド（すなわち、パワーアップ、パワーダウンまたはパワー保持コマンド）を発生し、そのパワー制御コマンドはその後パワー制御コマンド流188Aを使用して送信される。
【００５８】
１実施形態において、パワー制御コマンド流188Bを発生するためにパワー制御コマンド発生器188 によって使用されるアルゴリズムは次のとおりである。最初に、パワー制御コマンド発生器188 は、第２のアクチブセット内の各基地局から受信された第２のデータ流（すなわち、トラフィック信号流178 のみ）に対するＳＮＲの和を表す合計値を計算する。次に、この和は、パワー制御コマンド流188Aを使用して送られた最後のパワー制御コマンドに基づいて調節される。さらに、詳しく説明するパワー制御コマンド発生器180 は、パワー制御コマンド流188Aで送信された前のパワー制御コマンドが第２のアクチブセット内の全ての基地局により処理された後、移動局100Iがこのような基地局から受信すると予測される第２のデータ流に対するＳＮＲの和を表す予測ＳＮＲ値を発生する。その後、予測ＳＮＲ値は、移動局100Iが第２のアクチブセット内の全ての基地局から第２のデータ流として受信すると予測される所望の合計ＳＮＲ値を表すしきい値と比較される。この比較に基づいて、パワー制御コマンド発生器188 は、第２のアクチブセット内の各基地局からの第２のデータ流に対するパワー制御コマンド（すなわち、パワーアップ、パワーダウンまたはパワー保持コマンド）を発生し、このパワー制御コマンドはその後パワー制御コマンド流188Bを使用して送信される。
【００５９】
パワー制御コマンド流188Aおよび188Bは、インターリーバ制御装置148 により制御されるマルチプレクサ146 に供給される。このマルチプレクサ146 は分離したパワー制御コマンド流を併合して単一のインターリーブされたパワー制御ビット流110 にする。送信機150 はインターリーブされたパワー制御ビット流110 をパワー制御チャンネルまたはサブチャンネルで第１および第２のアクチブセット内の基地局に返送する。
【００６０】
図１Ｉに示されている移動局の別の実施形態では、パワー制御コマンド流188Aは、第１のアクチブセット内のものであるが第２のアクチブセット内のものではない基地局からの第１および第２のデータ流を制御するために使用される。
【００６１】
図２Ａを参照すると、本発明の好ましい実施形態による、複数のインターリーブされたパワー制御信号を複数の移動局（ＭＳ１，ＭＳ２，…ＭＳｍ）から受信し、移動局に送信される異なったデータ流の送信パワーレベルを制御するためにパワー制御信号を使用する基地局200Aのコンポーネントが示されている。図２Ａの実施形態において、基地局200Aから移動局100A（図１Ａに示されている）に送信された異なったデータ流の送信パワーレベルは、基地局200Aで受信されたインターリーブされたパワー制御信号中に含まれている共通のパワー制御コマンド流を使用して制御される。移動局（ＭＳ１，ＭＳ２，…ＭＳｍ）から受信されたインターリーブされたパワー制御信号110 はパワー制御信号復調装置210 、212 、214 に供給される。復調装置210 は第１の移動局（ＭＳ１）から基地局200 に送信されるインターリーブされたパワー制御信号110 を復調し、復調装置212 は、第２の移動局（ＭＳ２）から基地局200 に送信されるインターリーブされたパワー制御信号110 を復調し、復調装置214 はさらに別の移動局（ＭＳｍ）から基地局200 に送信されるインターリーブされたパワー制御信号110 を復調する。図２Ａに示されている実施形態において、各インターリーブされたパワー流110 は、同じ基地局から移動局に送信される異なったデータ流の送信パワーレベルを制御するために共通のパワー制御コマンド流がインターリーブされたパワー制御信号110 内に含まれる移動局100Aのような移動局を使用して形成される。
【００６２】
復調装置210 の出力はデマルチプレクサ220 に供給され、このデマルチプレクサ220 が、第１の移動局（ＭＳ１）から基地局200 に送信されたパワー制御コマンド流140 を表すパワー制御ビット流230 を抽出するために第１の移動局（ＭＳ１）からのパワー制御信号をデインターリーブする。パワー制御ビット流230 は、第１および第２の異なったデータ流120 、120Aを第１の移動局（ＭＳ１）にそれぞれ返送する送信機240 、242 の利得（または送信パワーレベル）を制御するために使用される。復調装置212 の出力はデマルチプレクサ222 に供給され、このデマルチプレクサ222 が、第２の移動局（ＭＳ２）から基地局200 に送信されたパワー制御コマンド流を表すパワー制御ビット流232 を抽出するために第２の移動局（ＭＳ２）からのパワー制御信号をデインターリーブする。パワー制御ビット流232 は、異なったデータ流を第２の移動局（ＭＳ２）にそれぞれ返送する送信機244 、246 の利得（または送信パワーレベル）を制御するために使用される。同様に、復調装置214 の出力はデマルチプレクサ224 に供給され、このデマルチプレクサ224 が、その他の移動局（ＭＳｍ）から基地局200 に送信されたパワー制御コマンド流を表すパワー制御ビット流234 を抽出するためにさらに別の移動局（ＭＳｍ）からのパワー制御信号をデインターリーブする。パワー制御ビット流234 は、異なったデータ流をさらに別の移動局（ＭＳｍ）にそれぞれ返送する送信機248 、250 の利得（または送信パワーレベル）を制御するために使用される。１実施形態において、各復調装置210 、212 、214 は、移動無線通信システム内の異なった移動局をそれぞれ割当てられた複数のパワー制御サブチャンネルの異なったもので、インターリーブされたパワー制御信号を受信するように構成されている。
【００６３】
３つの移動局100Aからのパワー制御信号が基地局200Aにより受信されているものとして示されているが、当業者は、基地局200Aが４以上（または２以下）の異なった移動局からパワー制御信号を受信するように構成されることが可能であることを認識するであろう。
【００６４】
図２Ｂは、図２Ａの基地局の別の好ましい実施形態を示している。図２Ｂにおいて、基地局200Bは複数の異なったデータ流120 、120Aを第１の移動局（ＭＳ１）に送信し、また、別の移動局（ＭＳ２，ＭＳｍ）に単一のデータ流だけを基地局の順方向リンクで送信する。したがって、基地局200Bでは、パワー制御ビット流232 は１つのデータ流を第２の移動局（ＭＳ２）に返送する単一の送信機244 の利得（または送信パワーレベル）を制御するために使用され、パワー制御ビット流234 は１つのデータ流をさらに別の移動局（ＭＳｍ）に返送する単一の送信機248 の利得を制御するために使用される。図２Ｂにおける送信機244 により出力された信号は、たとえば、図１Ｂにおいてパワー制御コマンド発生器132Aに供給されたＢＳ２からの第１のデータ流122 に対応していてもよい。これは、図１Ｂの移動局において第１のデータ流だけ（第２のデータ流ではない）がＢＳ２から移動局100Bに供給されるためである。
【００６５】
図２Ｃを参照すると、本発明の別の好ましい実施形態による、複数のインターリーブされたパワー制御信号を複数の移動局（ＭＳ１，ＭＳ２，…ＭＳｍ）から受信し、移動局に送信される異なったデータ流の送信パワーレベルを制御するためにパワー制御信号を使用する基地局200Cのコンポーネントが示されている。図２Ｃの実施形態において、基地局200Cから移動局100C（図１Ｃに示されている）に送信された異なったデータ流の送信パワーレベルは、基地局200Cで受信されたインターリーブされたパワー制御信号中に含まれている異なったパワー制御コマンド流を使用して制御される。移動局（ＭＳ１，ＭＳ２，…ＭＳｍ）から受信されたインターリーブされたパワー制御信号110 はパワー制御信号復調装置210 、212 、214 に供給される。復調装置210 は、第１の移動局（ＭＳ１）から基地局200Cに送信されるインターリーブされたパワー制御信号110 を復調し、復調装置212 は、第２の移動局（ＭＳ２）から基地局200 に送信されるインターリーブされたパワー制御信号110 を復調し、復調装置214 は、別の移動局（ＭＳｎ）から基地局200 に送信されるインターリーブされたパワー制御信号110 を復調する。図２Ｃに示されている実施形態において、各インターリーブされたパワー流110 は、同じ基地局から移動局に送信される異なったデータ流の送信パワーレベルを制御するために異なったパワー制御コマンド流がインターリーブされたパワー制御信号110 内に含まれる移動局100Cのような移動局を使用して形成される。
【００６６】
図２Ｃにおいて、復調装置210 の出力はデマルチプレクサ220 に供給され、このデマルチプレクサ220 は、第１の移動局（ＭＳ１）から基地局200Cに送信されたパワー制御コマンド流140A，140Bをそれぞれ表す各パワー制御ビット流230A，230Bを抽出するために第１の移動局（ＭＳ１）からのパワー制御信号をデインターリーブする。パワー制御ビット流230A，230Bは、第１および第２の異なったデータ流120 、120Aを第１の移動局（ＭＳ１）にそれぞれ返送する送信機240 、242 の利得（または送信パワーレベル）を制御するために使用される。復調装置212 の出力はデマルチプレクサ222 に供給され、このデマルチプレクサ222 は、第２の移動局（ＭＳ２）から基地局200Bに送信されたパワー制御コマンド流をそれぞれ表す各パワー制御ビット流232A，232Bを抽出するために第２の移動局（ＭＳ２）からのパワー制御信号をデインターリーブする。パワー制御ビット流232A，232Bは、異なったデータ流を第２の移動局（ＭＳ２）にそれぞれ返送する送信機244 、246 の利得（または送信パワーレベル）を制御するために使用される。同様に、復調装置214 の出力はデマルチプレクサ224 に供給され、このデマルチプレクサ224 が、別の移動局（ＭＳｍ）から基地局200Cに送信されたパワー制御コマンド流を表すパワー制御ビット流234A，234Bを抽出するためにこの別の移動局（ＭＳｍ）からのパワー制御信号をデインターリーブする。パワー制御ビット流234A，234Bは、異なったデータ流をこの別の移動局（ＭＳｍ）にそれぞれ返送する送信機248 、250 の利得（または送信パワーレベル）を制御するために使用される。
【００６７】
図２Ｄは、図２Ｃの基地局の別の好ましい実施形態を示している。図２Ｄにおいて、基地局200Dは複数の異なったデータ流120 、120Aを第１の移動局（ＭＳ１）に送信し、また、別の移動局（ＭＳ２，ＭＳｍ）に単一のあるデータ流だけを基地局の順方向リンクで送信する。図２Ｄでは、送信機244 により出力された信号は、たとえば、図１Ｄにおいてパワー制御コマンド発生器133Aに供給されたＢＳ２からの第１のデータ流122 に対応している可能性がある。それは、図１Ｄの移動局においては第１のデータ流だけ（第２のデータ流ではなく）がＢＳ２から移動局100Dに供給されるためである。
【００６８】
本発明にしたがって動作する通信システムは、基地局200Aまたは200Bにしたがって構成された複数の異なった基地局からデータトラフィック信号を受信して、これらの基地局にインターリーブされたパワー制御信号を送信する移動局100Aまたは100Bにしたがって構成された１以上の移動局から形成されてもよい。その代わりに、本発明にしたがって動作する通信システムは、基地局200Cまたは200Dにしたがって構成された複数の異なった基地局からデータトラフィック信号を受信して、これらの基地局にインターリーブされたパワー制御信号を送信する移動局100Cまたは100Dにしたがって構成された１以上の移動局から形成されている。
【００６９】
さらに別の形態において、本発明にしたがって動作する通信システムは、図２Ｄに示されている230 ，232A，234Aおよび230Bが図１Ｅに示されている形態の移動局から生成された信号160A，160B，160Cおよび162 に対応していることを除いて、実質的に基地局200Dにしたがって構成された複数の異なった基地局からデータトラフィック信号を受信して、これらの基地局にインターリーブされたパワー制御信号を送信する移動局100Eにしたがって構成された１以上の移動局から形成されている。
【００７０】
図２Ｅは、図１Ｆに示されている形態の複数の移動局100Fから形成された複数のパワー制御信号を受信し、移動局100Fに送信される第１および第２のデータ流の送信パワーレベルを制御するためにパワー制御信号を使用する基地局200Eを示している。図２Ｅの実施形態において、基地局200Eは、その基地局によりサービスされているものとして示されている２つの移動局100Fの両アクチブセット内のものである。移動局（ＭＳ１ＭＳｘ）から受信されたパワー制御信号はパワー制御信号復調装置210 、214 に供給される。復調装置210 は、第１の移動局（ＭＳ１）から基地局200Eに送信されるインターリーブされたパワー制御信号を復調し、復調装置214 は第２の移動局（ＭＳｘ）から基地局200Eに送信されるインターリーブされたパワー制御信号110 を復調する。
【００７１】
復調装置210 の出力はデマルチプレクサ221 に供給され、このデマルチプレクサ221 が、形態100F（図１Ｆに示されている）の第１の移動局から基地局200Eに送信されたパワー制御コマンド流172Aを表すパワー制御ビット流250 を抽出するために第１の移動局（ＭＳ１）からのパワー制御信号をデインターリーブする。パワー制御ビット流250 は、第１および第２の異なったデータ流120 、120Aを第１の移動局（ＭＳ１）にそれぞれ返送する送信機240 、242 の利得（または送信パワーレベル）を制御するために使用される。復調装置214 の出力はデマルチプレクサ225 に供給され、このデマルチプレクサ225 が、第２の移動局（ＭＳ２）から基地局200Eに送信される別のパワー制御コマンド流172Aを表すパワー制御ビット流252 を抽出するために形態100F（図１Ｆに示されている）の第２の移動局からのパワー制御信号をデインターリーブする。パワー制御ビット流252 は、第１および第２の異なったデータ流を第２の移動局（ＭＳ２）にそれぞれ返送する送信機248 、249 の利得（または送信パワーレベル）を制御するために使用される。１実施形態において、各復調装置210 ，214 は、移動無線通信システム内の異なった移動局とそれぞれ関係した複数のパワー制御サブチャンネルの異なったもので、インターリーブされたパワー制御信号を受信するように構成されている。
【００７２】
図２Ｆは、図１Ｆに示されている形態の複数の移動局100Fから形成された複数のパワー制御信号を受信し、移動局に送信される第１および第２のデータ流の送信パワーレベルを制御するためにパワー制御信号を使用する基地局200Fを示している。図２Ｆの実施形態では、基地局200Fは、その基地局によりサービスされているものとして示されている２つの移動局100Fの第１のアクチブセット内のものであるが第２のアクチブセット内のものではない。復調装置210 ，214 およびデマルチプレクサ221 ，225 は実質的に図２Ｅに関連して上述したように機能する。しかしながら、デマルチプレクサ221 により出力されたパワー制御ビット流260 は、形態100F（図１Ｆに示されている）の第１の移動局から基地局200Eに送信されたパワー制御コマンド流170Aを表している。パワー制御ビット流260 は、第１のデータ流122 を第１の移動局（ＭＳ１）に返送する送信機240 の利得（または送信パワーレベル）を制御するために使用される。同様に、デマルチプレクサ225 により出力されたパワー制御ビット流262 は、形態100F（図１Ｆに示されている）の第２の移動局から基地局200Eに送信された別のパワー制御コマンド流172Aを表している。パワー制御ビット流262 は、第１のデータ流を別の移動局（ＭＳｘ）に返送する送信機242 の利得（または送信パワーレベル）を制御するために使用される。
【００７３】
２つの移動局100Fからのパワー制御信号が基地局200E，200Fにより受信されているものとして示されているが、当業者は、基地局200E，200Fが３以上（または１以下）の異なった移動局からパワー制御信号を受信するように構成されることが可能であることを認識するであろう。
【００７４】
図２Ｇは、図１Ｇに示されている形態の複数の移動局100Gから形成された複数のパワー制御信号を受信し、移動局に送信される第１および第２のデータ流の送信パワーレベルを制御するためにパワー制御信号を使用する基地局200Gを示している。図２Ｇの実施形態において、基地局200Gは、その基地局によりサービスされているものとして示されている２つの移動局100Gの両アクチブセット内のものである。復調装置210 ，214 およびデマルチプレクサ221 ，225 は実質的に図２Ｅに関連して上述したように機能する。しかしながら、デマルチプレクサ221 により出力されたパワー制御ビット流270 は、形態100G（図１Ｇに示されている）の第１の移動局から基地局200Gに送信されたパワー制御コマンド流180Aを表している。パワー制御ビット流270 は、第１および第２のデータ流を第１の移動局（ＭＳ１）にそれぞれ返送する送信機240 ，242 の利得（または送信パワーレベル）を制御するために使用される。同様に、デマルチプレクサ225 により出力されたパワー制御ビット流272 は、形態100G（図１Ｇに示されている）の第２の移動局から基地局200Gに送信されたさらに別のパワー制御コマンド流180Aを表している。パワー制御ビット流272 は、第１および第２のデータ流を別の移動局（ＭＳｘ）に返送する送信機248 ，249 の利得（または送信パワーレベル）を制御するために使用される。
【００７５】
図２Ｈは、図１Ｇに示されている形態の複数の移動局100Gから形成された複数のパワー制御信号を受信し、移動局に送信される第１のデータ流の送信パワーレベルを制御するためにパワー制御信号を使用する基地局200Hを示している。図２Ｈの実施形態では、基地局200Hは、その基地局によりサービスされているものとして示されている２つの移動局100Gの第１のアクチブセット内のものであるが第２のアクチブセット内のものではない。復調装置210 ，214 およびデマルチプレクサ221 ，225 は実質的に図２Ｅに関連して上述したように機能する。しかしながら、デマルチプレクサ221 により出力されたパワー制御ビット流280 は、形態100G（図１Ｇに示されている）の第１の移動局から基地局200Hに送信されたパワー制御コマンド流182Aを表している。パワー制御ビット流280 は、第１のデータ流を第１の移動局（ＭＳ１）に返送する送信機240 の利得（または送信パワーレベル）を制御するために使用される。同様に、デマルチプレクサ225 により出力されたパワー制御ビット流282 は、形態100G（図１Ｇに示されている）の第２の移動局から基地局200Hに送信された別のパワー制御コマンド流182Aを表している。パワー制御ビット流282 は、第１のデータ流を別の移動局（ＭＳｘ）に返送する送信機248 の利得（または送信パワーレベル）を制御するために使用される。
【００７６】
２つの移動局100Gからのパワー制御信号が基地局200G，200Hにより受信されているものとして示されているが、当業者は、基地局200G，200Hが３以上（または１以下）の異なった移動局からパワー制御信号を受信するように構成されることが可能であることを認識するであろう。
【００７７】
図２Ｉは、図１Ｈに示されている形態の複数の移動局100Hから形成された粗および微パワー制御信号を受信し、移動局に送信される第１および第２のデータ流の送信パワーレベルを制御するためにパワー制御信号を使用する基地局200Iを示している。図２Ｉの実施形態では、基地局200Iは、その基地局によりサービスされているものとして示されている２つの移動局の両アクチブセット内のものである。復調装置210 ，214 およびデマルチプレクサ221 ，225 は実質的に図２Ｅに関連して上述したように機能する。しかしながら、デマルチプレクサ221 により出力された粗パワー制御ビット流290 は形態100H（図１Ｈに示されている）の第１の移動局から基地局200Iに送信された粗パワー制御コマンド流184Aを表し、デマルチプレクサ221 により出力された微パワー制御ビット流292 は形態100H（図１Ｈに示されている）の第１の移動局から基地局200Iに送信された微パワー制御コマンド流186Aを表している。粗および微パワー制御ビット流290 ，292 は、第１および第２のデータ流を第１の移動局（ＭＳ１）に返送する送信機240 ，242 の利得（または送信パワーレベル）を制御するために使用される。同様に、デマルチプレクサ225 により出力された粗パワー制御ビット流291 は形態100H（図１Ｈに示されている）の第２の移動局から基地局200Iに送信された粗パワー制御コマンド流184Aを表し、デマルチプレクサ225 により出力された微パワー制御ビット流293 は形態100H（図１Ｈに示されている）の第２の移動局から基地局200Iに送信されたその他の微パワー制御コマンド流186Aを表している。粗および微パワー制御ビット流291 ，293 は、第１および第２のデータ流をさらに別の移動局（ＭＳｘ）に返送する送信機248 ，249 の利得（または送信パワーレベル）を制御するために使用される。
【００７８】
図２Ｊは、図１Ｈに示されている形態の複数の移動局100Hから形成された粗パワー制御信号を受信し、移動局に送信される第１のデータ流の送信パワーレベルを制御するためにパワー制御信号を使用する基地局200Jを示している。図２Ｊの実施形態において、基地局200Jは、その基地局によりサービスされているものとして示されている２つの移動局の第１のアクチブセット内のものであるが第２のアクチブセット内のものではない。復調装置210 ，214 およびデマルチプレクサ221 ，225 は実質的に図２Ｅに関連して上述したように機能する。しかしながら、デマルチプレクサ221 により出力された粗パワー制御ビット流294 は形態100H（図１Ｈに示されている）の第１の移動局から基地局200Jに送信された粗パワー制御コマンド流184Aを表している。粗（微ではない）パワー制御ビット流294 だけが、第１のデータ流を第１の移動局（ＭＳ１）に返送する送信機240 の利得（または送信パワーレベル）を制御するために使用される。同様に、デマルチプレクサ225 により出力された粗パワー制御ビット流295 は形態100H（図１Ｈに示されている）の第２の移動局から基地局200Jに送信されたさらに別の粗パワー制御コマンド流184Aを表している。粗（微ではない）パワー制御ビット流295 だけが、第１のデータ流をさらに別の移動局（ＭＳｘ）に返送する送信機248 の利得（または送信パワーレベル）を制御するために使用される。
【００７９】
２つの移動局100Hからのパワー制御信号が基地局200I，200Jにより受信されているものとして示されているが、当業者は、基地局200I，200Jが３以上（または１以下）の異なった移動局からパワー制御信号を受信するように構成されることが可能であることを認識するであろう。
【００８０】
図２Ｋは、図１Ｉに示されている形態の複数の移動局100Iから形成された粗および微パワー制御信号を受信し、移動局に送信される第１および第２のデータ流の送信パワーレベルを制御するためにパワー制御信号を使用する基地局200Kを示している。図２Ｋの実施形態では、基地局200Kは、その基地局によりサービスされているものとして示されている２つの移動局の両アクチブセット内のものである。復調装置210 ，214 およびデマルチプレクサ221 ，225 は実質的に図２Ｅに関連して上述したように機能する。しかしながら、デマルチプレクサ221 により出力された粗パワー制御ビット流296 は形態100I（図１Ｉに示されている）の第１の移動局から基地局200Kに送信された粗パワー制御コマンド流188Aを表し、デマルチプレクサ221 により出力された微パワー制御ビット流298 は形態100I（図１Ｉに示されている）の第１の移動局から基地局200Kに送信された微パワー制御コマンド流188Bを表している。粗パワー制御ビット流296 だけが、第１のデータ流を第１の移動局（ＭＳ１）に返送する送信機240 の利得（または送信パワーレベル）を制御するために使用される。粗および微パワー制御ビット流296 ，298 は、第２のデータ流を第１の移動局（ＭＳ１）に返送する送信機242 の利得（または送信パワーレベル）を制御するために組合せられて使用される。デマルチプレクサ225 により出力された粗パワー制御ビット流297 は形態100I（図１Ｉに示されている）のさらに別の移動局から基地局200Kに送信された粗パワー制御コマンド流188Aを表し、デマルチプレクサ225 により出力された微パワー制御ビット流299 は形態100I（図１Ｉに示されている）のさらに別の移動局から基地局200Kに送信された微パワー制御コマンド流188Bを表している。粗パワー制御ビット流297 だけが、第１のデータ流をさらに別の移動局（ＭＳｘ）に返送する送信機248 の利得（または送信パワーレベル）を制御するために使用される。粗および微パワー制御ビット流297 ，299 は、第２のデータ流をさらに別の移動局（ＭＳｘ）に返送する送信機249 の利得（または送信パワーレベル）を制御するために組合せられて使用される。
【００８１】
図２Ｌは、図１Ｉに示されている形態の複数の移動局100Iから形成された粗パワー制御信号を受信し、移動局に送信される第１のデータ流の送信パワーレベルを制御するためにパワー制御信号を使用する基地局200Lを示している。図２Ｌの実施形態において、基地局200Lは、その基地局によりサービスされているものとして示されている２つの移動局の第２のアクチブセット内のものであるが第１のアクチブセット内のものではない。復調装置210 ，214 およびデマルチプレクサ221 ，225 は実質的に図２Ｅに関連して上述したように機能する。しかしながら、デマルチプレクサ221 により出力された粗パワー制御ビット流300 は形態100I（図１Ｉに示されている）の第１の移動局から基地局200Lに送信された粗パワー制御コマンド流188Aを表している。粗パワー制御ビット流300 だけが、第２のデータ流を第１の移動局（ＭＳ１）に返送する送信機242 の利得（または送信パワーレベル）を制御するために使用される。デマルチプレクサ225 により出力された粗パワー制御ビット流301 は形態100I（図１Ｉに示されている）の別の移動局から基地局200Lに送信された粗パワー制御コマンド流188Aを表している。粗パワー制御ビット流301 だけが、第２のデータ流を別の移動局（ＭＳｘ）に返送する送信機249 の利得（または送信パワーレベル）を制御するために使用される。
【００８２】
２つの移動局100Iからのパワー制御信号が基地局200K，200Lにより受信されているものとして示されているが、当業者は、基地局200K，200Lが３以上（または１以下）の異なった移動局からパワー制御信号を受信するように構成されることが可能であることを認識するであろう。
【００８３】
本発明にしたがって動作する基地局に対する移動局からの、インターリーブされたパワー制御信号110 の送信は、上述したパワー制御チャンネルまたはパワー制御サブチャンネルによって行われる。パワー制御サブチャンネルにより基地局に送信された各インターリーブされたパワー制御信号110 は、たとえば、通常の８００ビット／秒の閉ループパワー制御信号であることができる。装置146 ，148 により行われるインターリーブは、当業者によく知られているパンクチャリング(puncturing)方法によって行われることができる。一例では、インターリーブされたパワー制御信号110 は、移動局100 （図１Ａ）を使用して、各信号120 、122 および124 に対するパワー制御情報の２ビットを、各信号120A、122Aおよび124Aに対するパワー制御情報の４ビットとインターリーブすることにより形成される。これに続いて、各信号120 、122 および124 に対するパワー制御情報の別の２ビットと各信号120A、122Aおよび124Aに対するパワー制御情報の別の４ビットとが送られ、以下同様にして連続する。インターリーブプロセス中に各信号に割当てられるパワー制御ビットの数を変えることにより、信号120 、122 、124 に対応したパワー制御ビット流のインターリーブされた信号110 内のビット速度を、信号120A、122Aおよび124Aに対応したパワー制御ビット流のものより小さくすることができる。インターリーブされた信号110 中に含まれるパワー制御ビット流のビット速度はまた、フェーディング状態に基づいて動的にシフトされることができる。
【００８４】
好ましい実施形態の上記の説明は、当業者による本発明の構成および使用を可能にするために示されている。当業者は、これらの実施形態に対する種々の修正を容易に認識し、ここに規定されている一般的な原理は発明力を要することなくその他の実施形態に適応されることができる。したがって、本発明はここに示されている実施形態に限定されず、開示された原理および新しい特徴に準じた広範囲の技術的範囲に一致するものである。
【図１Ａ】
2011182434.tif 000003
【図１Ｂ】
2011182434.tif 000004
【図１Ｃ】
2011182434.tif 000005
【図１Ｄ】
2011182434.tif 000006
【図１Ｅ】
2011182434.tif 000007
【図１Ｆ】
2011182434.tif 000008
【図１Ｇ】
2011182434.tif 000009
【図１Ｈ】
2011182434.tif 000010
【図１Ｉ】
2011182434.tif 000011
【図２Ａ】
2011182434.tif 000012
【図２Ｂ】
2011182434.tif 000013
【図２Ｃ】
2011182434.tif 000014
【図２Ｄ】
2011182434.tif 000015
【図２Ｅ】
2011182434.tif 000016
【図２Ｆ】
2011182434.tif 000017
【図２Ｇ】
2011182434.tif 000018
【図２Ｈ】
2011182434.tif 000019
【図２Ｉ】
2011182434.tif 000020
【図２Ｊ】
2011182434.tif 000021
【図２Ｋ】
2011182434.tif 000022
【図２Ｌ】
2011182434.tif 000023
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
パワー制御コマンドの第１のストリームを決定し、
パワー制御コマンドの第２のストリームを決定し、
パワー制御コマンドの第１および第２のストリームを多重化し、
複数の異なるデータストリームの送信パワーレベルを制御するために、パワー制御コマンドの多重化されたストリームを第１及び第２の基地局へ送信するステップを含み、
パワー制御コマンドの第１のストリームはパワー制御信号内の第１のビットレートを有し、パワー制御コマンドの第２のストリームはパワー制御信号内の第２のビットレートを有し、パワー制御信号はパワー制御コマンドの多重化されたストリームを伝送する通信システムにおける方法。
【請求項２】
さらに、移動局において、第１の基地局からの第１のデータ流を受信し、移動局において、第２の基地局からの第２のデータ流を受信するステップを含み、前記第１及び第２のデータ流は前記複数の異なるデータ流に含まれている請求項１記載の方法。
【請求項３】
さらに、第１及び第２の基地局でパワー制御コマンドの多重化されたストリームを受信し、
第１及び第２の基地局において、それぞれパワー制御コマンドの第１及び第２の受信されたストリームを形成するために、パワー制御コマンドの受信された多重化されたストリームをデマルチプレクスするステップを含んでいる請求項１記載の方法。
【請求項４】
さらに、パワー制御コマンドの第１のストリームにしたがって第１の基地局から送信されるデータの送信パワーレベルを制御し、パワー制御コマンドの第２のストリームにしたがって第２の基地局から送信されるデータの送信パワーレベルを制御するステップを含んでいる請求項３記載の方法。
【請求項５】
パワー制御コマンドの第１のストリームにしたがったパワーレベルで第１の基地局から送信されるデータ流の少なくとも一部と、パワー制御コマンドの第２のストリームにしたがったパワーレベルで第２の基地局から送信されるデータ流の少なくとも一部は移動局をターゲットとする同じデータである請求項４記載の方法。
【請求項６】
通信システムにおける装置において、
パワー制御コマンドの第１のストリームを決定する手段と、
パワー制御コマンドの第２のストリームを決定する手段と、
パワー制御コマンドの第１および第２のストリームを多重化する手段と、
パワー制御コマンドの多重化されたストリームを第１及び第２の基地局へ送信して複数の異なったデータ流の送信パワーレベルを制御する送信機を具備し、パワー制御コマンド
の第１のストリームはパワー制御信号内の第１のビットレートを有し、パワー制御コマンドの第２のストリームはパワー制御信号内の第２のビットレートを有し、パワー制御信号はパワー制御コマンドの多重化されたストリームを伝送する装置。
【請求項７】
さらに、移動局において、第１の基地局からの第１のデータ流および第２の基地局からの第２のデータ流を受信するステップを含み、前記第１及び第２のデータ流は前記複数の異なるデータ流中に含まれている請求項６記載の装置。
【請求項８】
さらに、第１及び第２の基地局においてパワー制御コマンドの多重化されたストリームを受信する手段と、
第１及び第２の基地局において、それぞれパワー制御コマンドの第１及び第２の受信されたストリームを形成するために、パワー制御コマンドの受信された多重化されたストリームをデマルチプレクスする手段と具備している請求項６記載の装置。
【請求項９】
さらに、パワー制御コマンドの第１のストリームにしたがって第１の基地局から送信されるデータの送信パワーレベルを制御し、パワー制御コマンドの第２のストリームにしたがって第２の基地局から送信されるデータの送信パワーレベルを制御する制御装置を具備している請求項８記載の装置。
【請求項１０】
パワー制御コマンドの第１のストリームにしたがったパワーレベルで第１の基地局から送信されるデータ流の少なくとも一部と、パワー制御コマンドの第２のストリームにしたがったパワーレベルで第２の基地局から送信されるデータ流の少なくとも一部とは移動局をターゲットとする同じデータである請求項９記載の装置。
【請求項１１】
基地局の第１のアクチブセット中の各基地局と基地局の第２のアクチブセット中の各基地局からの第１のデータ通信に基づいて、パワー制御コマンドの第１のストリームを形成し、
パワー制御コマンドの前記第１のストリームに基づいたパワーレベルで、第１のデータ流を基地局の第１及び第２のアクチブセットから移動局へ送信し、
アクチブ基地局の第１及び第２のセット中の各共通しない基地局からの第１のデータ通信に基づいて、パワー制御コマンドの第２のストリームを形成し、
パワー制御コマンドの前記第２のストリームに基づいたパワーレベルで、第１のデータ流をアクチブ基地局の第１及び第２のセット中の各共通しない基地局から移動局へ送信するステップを含んでいる移動無線電話通信システムにおける方法。
【請求項１２】
さらに、パワー制御コマンドの前記第２のストリームに基づいたパワーレベルで、第２のデータ流を共通しない基地局の少なくとも１つの基地局から移動局へ送信するステップを含んでいる請求項１１記載の方法。
【請求項１３】
さらに、パワー制御コマンドの前記第１のストリームに基づいたパワーレベルで、第２のデータ流を基地局の第１及び第２のアクチブセットの少なくとも１つの基地局から移動局へ送信するステップを含んでいる請求項１１記載の方法。
【手続補正２】
【補正対象書類名】明細書
【補正対象項目名】００８４
【補正方法】変更
【補正の内容】
【００８４】
好ましい実施形態の上記の説明は、当業者による本発明の構成および使用を可能にするために示されている。当業者は、これらの実施形態に対する種々の修正を容易に認識し、ここに規定されている一般的な原理は発明力を要することなくその他の実施形態に適応されることができる。したがって、本発明はここに示されている実施形態に限定されず、開示された原理および新しい特徴に準じた広範囲の技術的範囲に一致するものである。
以下に、本願出願の当初の特許請求の範囲に記載された発明を付記する。
[１] 移動無線電話通信システムにおける１以上の基地局から１つの移動局へ送信される複数の異なったデータ流の送信パワーレベルを制御する方法において、
（ａ）第１のデータ流を前記１以上の基地局から前記移動局へ送信し、第２のデータ流を前記１以上の基地局から移動局へ送信し、
（ｂ）前記移動局において第１、第２のデータ流を受信し、
（ｃ）第１または第２の受信されたデータ流のいずれかにしたがって前記移動局において第１のパワー制御コマンド流を形成し、
（ｄ）前記移動局において第１のパワー制御コマンド流からパワー制御信号を形成し、
（ｅ）前記移動局から前記１以上の基地局へパワー制御信号を送信し、
（ｆ）前記１以上の基地局においてそのパワー制御信号を受信し、
（ｇ）前記１以上の基地局において受信されたパワー制御信号から第１の受信されたパワー制御コマンド流を形成し、
（ｈ）第１の受信されたパワー制御コマンド流にしたがって前記１以上の基地局からの前記第１のデータ流の送信パワーレベルを制御し、第１の受信されたパワー制御コマンド流にしたがって前記１以上の基地局からの前記第２のデータ流の送信パワーレベルを制御するステップを有することを特徴とする送信パワーレベルの制御方法。
[２] 移動無線電話通信システムは第１および第２の基地局を含んでおり、
（ａ）前記ステップ（ａ）においては、前記第１のデータ流を前記第１および第２の基地局から前記移動局へ送信し、第２のデータ流を前記第２の基地局から前記移動局へ送信し、
（ｂ）前記ステップ（ｂ）においては、前記移動局において前記第１の基地局および第２の基地局から第１のデータ流を受信し、前記第２の基地局から第２のデータ流を受信し、
（ｃ）前記ステップ（ｃ）においては、前記移動局において第１のパワー制御コマンド流を形成し、その第１のパワー制御コマンド流は前記第１の基地局から受信された第１または第２のデータ流の１つにしたがって決定され、前記移動局において第２のパワー制御コマンド流を形成し、その第２のパワー制御コマンド流は前記第２の基地局から受信された第２のデータ流にしたがって決定され、
（ｄ）前記ステップ（ｄ）においては、第１および第２のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、前記第１の基地局において受信されたインターリーブされたパワー制御信号をデインターリーブすることによって第１の受信されたパワー制御コマンド流を形成し、前記第２の基地局において受信されたインターリーブされたパワー制御信号をデインターリーブすることによって第２の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第１の受信されたパワー制御コマンド流にしたがって第１の基地局から送信された前記第２のデータ流の送信パワーレベルを制御し、第２の受信されたパワー制御コマンド流にしたがって第２の基地局から送信された前記第２のデータ流の送信パワーレベルを制御する［１］の方法。
[３] 移動無線電話通信システムは第１および第２の基地局を含んでおり、
（ａ）前記ステップ（ａ）においては、前記第１のデータ流を第１および第２の基地局から前記移動局へ送信し、第２のデータ流を第１および第２の基地局から前記移動局へ送信し、
（ｂ）前記ステップ（ｂ）においては、前記移動局において第１の基地局および第２の基地局から第１のデータ流を受信し、第１の基地局および第２の基地局から第２のデータ流を受信し、
（ｃ）前記ステップ（ｃ）においては、前記移動局において第１のパワー制御コマンド流を形成し、その第１のパワー制御コマンド流は第１の基地局から受信された第１または第２のデータ流の１つにしたがって決定され、前記移動局において第２のパワー制御コマンド流を形成し、その第２のパワー制御コマンド流は第２の基地局から受信された第１または第２のデータ流の１つにしたがって決定され、
（ｄ）前記ステップ（ｄ）においては、第１および第２のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、受信されたインターリーブされたパワー制御信号を前記第１の基地局においてデインターリーブすることによって第１の受信されたパワー制御コマンド流を形成し、受信されたインターリーブされたパワー制御信号を前記第２の基地局においてデインターリーブすることによって第２の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第１の受信されたパワー制御コマンド流にしたがって第１の基地局から送信された前記第２のデータ流の送信パワーレベルを制御し、第２の受信されたパワー制御コマンド流にしたがって第２の基地局から送信された第１のデータ流の送信パワーレベルを制御し、第２の受信されたパワー制御コマンド流にしたがって第２の基地局から送信された第２のデータ流の送信パワーレベルを制御する［１］の方法。
[４] 前記受信された第１のパワー制御コマンド流はステップ（ｃ）で決定された第１のパワー制御コマンド流に実質上対応している［３］の方法。
[５] 前記受信された第２のパワー制御コマンド流はステップ（ｃ）で決定された第２のパワー制御コマンド流に実質上対応している［４］の方法。
[６] 移動無線電話通信システムは第１のセットの２以上の基地局を含み、第１のセットの基地局は少なくとも第１および第２の基地局を含み、
（ａ）前記ステップ（ａ）においては、第１のデータ流を前記第１のセットの基地局中の各基地局から前記移動局へ送信し、第２のデータ流を前記第２の基地局から前記移動局へ送信し、
（ｂ）前記ステップ（ｂ）においては、前記移動局において前記第１のセットの基地局中の各基地局から第１のデータ流を受信し、前記第２の基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つと関連し、第２の基地局と関連したパワー制御コマンド流とは異なる第１の複数のパワー制御コマンド流中の各パワー制御コマンド流は、前記第１のセットの基地局の１つから受信された第１のデータ流にしたがって決定され、第２の基地局と関連した第１の複数のパワー制御コマンド流は、前記第２の基地局から受信された第１または第２のデータ流の１つにしたがって決定され、
（ｄ）前記ステップ（ｄ）においては、第１の複数のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、前記第１の複数のパワー制御コマンド流は第２の基地局と関連した受信されたパワー制御信号流を含んでおり、
（ｈ）前記ステップ（ｈ）においては、第１の複数の受信されたパワー制御コマンド流の対応するものにしたがって第２の基地局以外の第１のセットの基地局中の各基地局から送信された第１のデータ流の送信パワーレベルを制御し、第２の基地局に関連する受信されたパワー制御コマンド流にしたがって第２の基地局から送信された第１および第２のデータ流の送信パワーレベルを制御する［１］の方法。
[７] 第１のデータ流は音声メッセージ信号である［１］の方法。
[８] 第２のデータ流はファックス伝送を表している［７］の方法。
[９] 第２のデータ流はインターネット伝送を表している［７］の方法。
[１０] 第１または第２のいずれかの受信されたデータ流に関係するエラー率をモニタすることによって、ステップ（ｃ）において移動局は第１のパワー制御コマンド流を形成する［１］の方法。
[１１] 第１または第２のいずれかの受信されたデータ流に関係する信号対雑音比をモニタすることによって、ステップ（ｃ）において移動局は第１のパワー制御コマンド流を形成する［１］の方法。
[１２] 第１のパワー制御コマンド流中の各パワー制御コマンドは、ステップ（ａ）において第１または第２のデータ流に関係して送信パワーを増加または減少させるコマンドを表している［１］の方法。
[１３] 第１および第２のデータ流は共通の周波数帯域でステップ（ａ）において移動局に送信される［１］の方法。
[１４] 第１および第２のデータ流はコード分割多重アクセス変調を使用して移動局に送信される［１３］の方法。
[１５] 第１のパワー制御コマンド流はインターリーブされたパワー制御信号内の第１のビット率を有しており、第２のパワー制御コマンド流はインターリーブされたパワー制御信号内の第２のビット率を有している［２］の方法。
[１６] 第１のパワー制御コマンド流はインターリーブされたパワー制御信号内の第１のビット率を有しており、第２のパワー制御コマンド流はインターリーブされたパワー制御信号内の第２のビット率を有している［３］の方法。
[１７] 移動局が第１と第２の基地局間のソフトハンドオフを行っているとき、ステップ（ａ）〜（ｈ）が実行される［２］の方法。
[１８] 移動局が第１と第２の基地局間のソフトハンドオフを行っているとき、ステップ（ａ）〜（ｈ）が実行される［３］の方法。
[１９] 移動無線電話通信システムにおける１以上の基地局から１つの移動局へ送信される複数の異なったデータ流の送信パワーレベルを制御する方法において、
（ａ）第１のデータ流を前記１以上の基地局から前記移動局へ送信し、第２のデータ流を前記１以上の基地局から移動局へ送信し、
（ｂ）前記移動局において第１および第２のデータ流を受信し、
（ｃ）第１の受信されたデータ流にしたがって前記移動局において第１のパワー制御コマンド流を形成し、第２の受信されたデータ流にしたがって前記移動局において第２のパワー制御コマンド流を形成し、
（ｄ）前記移動局において第１および第２のパワー制御コマンド流をインターリーブすることによってパワー制御信号を形成し、
（ｅ）前記移動局から前記１以上の基地局へインターリーブされたパワー制御信号を送信し、
（ｆ）前記１以上の基地局においてそのインターリーブされたパワー制御信号を受信し、
（ｇ）前記１以上の基地局において受信されたパワー制御信号をデインターリーブすることによって第１および第２の受信されたパワー制御コマンド流を形成し、
（ｈ）第１の受信されたパワー制御コマンド流にしたがって前記１以上の基地局からの第１のデータ流の送信パワーレベルを制御し、第２の受信されたパワー制御コマンド流にしたがって前記１以上の基地局からの第２のデータ流の送信パワーレベルを制御するステップを有することを特徴とする送信パワーレベルの制御方法。
[２０] 移動無線電話通信システムは第１および第２の基地局を含み、
（ａ）前記ステップ（ａ）においては、前記第１のデータ流を前記第１および第２の基地局から前記移動局へ送信し、第２のデータ流を前記第２の基地局から前記移動局へ送信し、
（ｂ）前記ステップ（ｂ）においては、前記移動局において前記第１の基地局および第２の基地局から第１のデータ流を受信し、前記第２の基地局から第２のデータ流を受信し、
（ｃ）前記ステップ（ｃ）においては、前記移動局において第１および第２のパワー制御コマンド流を形成し、その第１のパワー制御コマンド流は前記第１の基地局から受信された第１のデータ流にしたがって決定され、その第２のパワー制御コマンド流は前記第２の基地局から受信された第１のデータ流にしたがって決定され、前記移動局において第３のパワー制御コマンド流を形成し、その第３のパワー制御コマンド流は前記第２の基地局から受信された第２のデータ流にしたがって決定され、
（ｄ）前記ステップ（ｄ）においては、第１、第２および第３のパワー制御コマンド流をインターリーブすることによって前記移動局においてインターリーブされたパワー制御信号を形成し、
（ｅ）前記ステップ（ｅ）においては、前記移動局から第１および第２の基地局へ前記インターリーブされたパワー制御信号を送信し、
（ｆ）前記ステップ（ｆ）においては、前記第１および第２の基地局において前記インターリーブされたパワー制御信号を受信し、
（ｇ）前記ステップ（ｇ）においては、前記第１の基地局において受信されたインターリーブされたパワー制御信号をデインターリーブすることによって第１および第２の受信されたパワー制御コマンド流を形成し、前記第２の基地局において受信されたインターリーブされたパワー制御信号をデインターリーブすることによって第３の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第２の受信されたパワー制御コマンド流にしたがって第１の基地局から送信された前記第２のデータ流の送信パワーレベルを制御し、第３の受信されたパワー制御コマンド流にしたがって第２の基地局から送信された前記第２のデータ流の送信パワーレベルを制御する［１９］の方法。
[２１] 移動無線電話通信システムは第１および第２の基地局を含み、
（ａ）前記ステップ（ａ）においては、前記第１のデータ流を前記第１および第２の基地局から前記移動局へ送信し、第２のデータ流を前記第１および第２の基地局から前記移動局へ送信し、
（ｂ）前記ステップ（ｂ）においては、前記移動局において前記第１の基地局および第２の基地局から第１のデータ流を受信し、前記第１の基地局および前記第２の基地局から第２のデータ流を受信し、
（ｃ）前記ステップ（ｃ）においては、前記移動局において第１および第２のパワー制御コマンド流を形成し、その第１のパワー制御コマンド流は前記第１の基地局から受信された第１のデータ流にしたがって決定され、前記第２のパワー制御コマンド流は前記第２の基地局から受信された第１のデータ流にしたがって決定され、前記移動局において第３および第４のパワー制御コマンド流を形成し、その第３のパワー制御コマンド流は前記第１の基地局から受信された第２のデータ流にしたがって決定され、前記第４のパワー制御コマンド流は前記第２の基地局から受信された第２のデータ流にしたがって決定され、
（ｄ）前記ステップ（ｄ）においては、第１、第２、第３および第４のパワー制御コマンド流をインターリーブすることによって前記移動局においてインターリーブされたパワー制御信号を形成し、
（ｅ）前記ステップ（ｅ）においては、前記移動局から第１および第２の基地局へインターリーブされたパワー制御信号を送信し、
（ｆ）前記ステップ（ｆ）においては、前記第１および第２の基地局においてインターリーブされたパワー制御信号を受信し、
（ｇ）前記ステップ（ｇ）においては、前記第１の基地局において受信されたインターリーブされたパワー制御信号をデインターリーブすることによって第１および第２の受信されたパワー制御コマンド流を形成し、前記第２の基地局において受信されたインターリーブされたパワー制御信号をデインターリーブすることによって第３および第４の受信されたパワー制御コマンド流を形成し、
（ｈ）前記ステップ（ｈ）においては、第１の受信されたパワー制御コマンド流にしたがって前記第１の基地局から送信された第１のデータ流の送信パワーレベルを制御し、第２の受信されたパワー制御コマンド流にしたがって第１の基地局から送信された第２のデータ流の送信パワーレベルを制御し、第３の受信されたパワー制御コマンド流にしたがって第２の基地局から送信された第１のデータ流の送信パワーレベルを制御し、第４の受信されたパワー制御コマンド流にしたがって第２の基地局から送信された第２のデータ流の送信パワーレベルを制御する［１９］の方法。
[２２] 移動無線電話通信システムは第１のセットの２以上の基地局を含み、第１のセットの基地局は少なくとも第１および第２の基地局を含んでおり、
（ａ）前記ステップ（ａ）においては、前記第１のデータ流を前記第１のセットの基地局中の各基地局から前記移動局へ送信し、第２のデータ流を前記第２の基地局から前記移動局へ送信し、
（ｂ）前記ステップ（ｂ）においては、前記移動局において前記第１のセットの基地局中の各基地局から第１のデータ流を受信し、前記第２の基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つから受信された第１のデータ流にしたがって決定され、前記移動局において別のパワー制御コマンド流を形成し、この別のパワー制御コマンド流は第２の基地局から受信された第２のデータ流にしたがって決定され、
（ｄ）前記ステップ（ｄ）においては、複数のパワー制御コマンド流および前記別のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、別の受信されたパワー制御コマンド流を形成し、この別の受信されたパワー制御コマンド流は受信されたパワー制御信号をデインターリーブすることによって第２の基地局において形成され、
（ｈ）前記ステップ（ｈ）においては、第１の複数の受信されたパワー制御コマンドの対応するものにしたがって第１のセットの基地局中の各基地局から送信された第１のデータ流の送信パワーレベルを制御し、前記別の受信されたパワー制御コマンドにしたがって第２の基地局から送信される第２のデータ流の送信パワーレベルを制御する［１９］の方法。
[２３] 移動無線電話通信システムは第２のセットの２以上の基地局を含み、第２のセットの基地局は第１のセットの基地局のサブセットを含んでおり、
（ａ）前記ステップ（ａ）においては、前記第１のデータ流を前記第１のセットの基地局から前記移動局へ送信し、第２のデータ流を前記第２のセットの基地局から前記移動局へ送信し、
（ｂ）前記ステップ（ｂ）においては、前記移動局において前記第１のセットの基地局中の各基地局から第１のデータ流を受信し、前記第２のセットの基地局の各基地局から第２のデータ流を受信し、
（ｃ）前記ステップ（ｃ）においては、前記移動局において第１の複数のパワー制御コマンド流を形成し、第１の複数のパワー制御コマンド流中の各パワー制御コマンド流は前記第１のセットの基地局の１つから受信された第１のデータ流にしたがって決定され、前記移動局において第２の複数のパワー制御コマンド流を形成し、第２の複数のパワー制御コマンド流中の各パワー制御コマンド流は前記第２のセットの基地局の１つから受信された第２のデータ流にしたがって決定され、
（ｄ）前記ステップ（ｄ）においては、第１の複数のパワー制御コマンド流および第２の複数のパワー制御コマンド流をインターリーブすることによって前記移動局においてインターリーブされたパワー制御信号を形成し、
（ｅ）前記ステップ（ｅ）においては、前記移動局から前記第１のセットの基地局の各基地局へインターリーブされたパワー制御信号を送信し、
（ｆ）前記ステップ（ｆ）においては、前記第１のセットの基地局の各基地局においてインターリーブされたパワー制御信号を受信し、
（ｇ）前記ステップ（ｇ）においては、第１の複数の受信されたパワー制御コマンド流を形成し、前記第１の複数の受信されたパワー制御コマンド流のそれぞれは受信されたインターリーブされたパワー制御信号をデインターリーブすることによって第１のセットの基地局中のそれぞれ異なったものにおいて形成され、第２の複数の受信されたパワー制御コマンド流を形成し、第２の複数のパワー制御コマンド流の受信された各パワー制御信号は受信されたインターリーブされたパワー制御信号をデインターリーブすることによって第２のセットの各基地局の異なったものにおいて形成され、
（ｈ）前記ステップ（ｈ）においては、第１の複数の受信されたパワー制御コマンドの対応するものにしたがって第１のセットの基地局中の各基地局から送信された第１のデータ流の送信パワーレベルを制御し、第２の複数の受信されたパワー制御コマンドの対応するものにしたがって第２のセットの各基地局から送信される第２のデータ流の送信パワーレベルを制御する［２２］の方法。
[２４] 移動無線電話通信システムにおける少なくとも第１および第２の基地局から１つの移動局へ送信される複数の異なったデータ流の送信パワーレベルを制御する方法において、
（ａ）第１のデータ流を第１および第２の基地局から前記移動局へ送信し、第２のデータ流を第１の基地局から移動局へ送信し、
（ｂ）前記移動局において第１の基地局および第２の基地局から第１のデータ流を受信し、前記移動局において第１の基地局から第２のデータ流を受信し、
（ｃ）前記移動局において第１のパワー制御コマンド流を形成し、その第１のパワー制御コマンド流は第１の基地局から受信された第１のデータ流および第２の基地局から受信された第１のデータ流にしたがって決定され、前記移動局において第２のパワー制御コマンド流を形成し、その第２のパワー制御コマンド流は第１の基地局から受信された第２のデータ流にしたがって決定され、
（ｄ）前記移動局において第１および第２のパワー制御コマンド流からパワー制御信号を形成し、
（ｅ）前記移動局から第１の基地局へパワー制御信号を送信し、
（ｆ）第１の基地局においてそのパワー制御信号を受信し、
（ｇ）第１の基地局において受信されたパワー制御信号から第１の受信されたパワー制御コマンド流および第２の受信されたパワー制御コマンド流を形成し、
（ｈ）第１の受信されたパワー制御コマンド流にしたがって第１の基地局から前記第１のデータ流の送信パワーレベルを制御し、第２の受信されたパワー制御コマンド流にしたがって第１の基地局から前記第２のデータ流の送信パワーレベルを制御するステップを有することを特徴とする送信パワーレベルの制御方法。
[２５] 第１の受信されたパワー制御コマンド流はステップ（ｃ）で決定された第１のパワー制御コマンド流に実質上対応し、第２の受信されたパワー制御コマンド流はステップ（ｃ）で決定された第２のパワー制御コマンド流に実質上対応している［２４］の方法。
[２６] 前記ステップ（ｃ）においてさらに、移動局において第１のパワー制御コマンド流とは異なった第３のパワー制御コマンド流を形成し、この第３のパワー制御コマンド流は第１の基地局から受信された第１のデータ流および第２の基地局から受信された第１のデータ流にしたがって決定され、前記ステップ（ｄ）においてさらに、前記移動局において第１のパワー制御コマンド流、第２のパワー制御コマンド流および第３のパワー制御コマンド流から第２のパワー制御コマンド信号を形成し、前記ステップ（ｅ）においてさらに、前記移動局から前記第２の基地局へパワー制御信号流を送信し、前記ステップ（ｆ）においてさらに、前記第２の基地局においてパワー制御信号を受信し、前記ステップ（ｇ）においてさらに、第２の基地局において受信されたパワー制御信号から第３の受信されたパワー制御コマンド流を形成し、前記ステップ（ｈ）においてさらに、第３の受信されたパワー制御コマンドにしたがって第２の基地局から送信される第１のデータ流の送信パワーレベルを制御する［２４］の方法。
[２７] （ａ）前記ステップ（ａ）においては、前記第１のデータ流を第１のセットの３以上の基地局から前記移動局へ送信し、第２のデータ流を第２のアクチブセットの１以上の基地局から前記移動局へ送信し、第１および第２の基地局は共に第１の基地局のアクチブセットに含まれており、第１の基地局は第２の基地局のアクチブセットに含まれており、
（ｂ）前記ステップ（ｂ）においては、前記移動局において前記第１のアクチブセットの基地局の各基地局から第１のデータ流を受信し、前記移動局において前記第２のセットの基地局の各基地局から第２のデータ流を受信し、
（ｃ）前記ステップ（ｃ）においては、前記移動局において第１のパワー制御コマンド流を形成し、第１のパワー制御コマンド流は前記第１のアクチブセットの基地局の各基地局から受信された第１のデータ流にしたがって決定され、前記移動局において第２のパワー制御コマンド流を形成し、第２のパワー制御コマンド流は前記第２のアクチブセットの基地局から受信された第２のデータ流にしたがって決定される［２４］の方法。
[２８] 第２のアクチブセットの基地局は第１のアクチブセットの基地局のサブセットである［２７］の方法。
[２９] 第１のデータ流は音声メッセージ信号である［２４］の方法。
[３０] 第２のデータ流はファックス伝送を表している［２９］の方法。
[３１] 第２のデータ流はインターネット伝送を表している［２９］の方法。
[３２] 第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する［２４］の方法。
[３３] 第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する［２４］の方法。
[３４] 第１の基地局からの第１の受信されたデータ流に関係する信号対雑音比および第２の基地局からの第１の受信されたデータ流に関係する信号対雑音比をモニタすることによって、ステップ（ｃ）において移動局は第１のパワー制御コマンド流を形成する［２４］の方法。
[３５] 第１のパワー制御コマンド流中の各パワー制御コマンドは、ステップ（ａ）において第１の基地局から送信された第１のデータ流に関係して送信パワーを増加または減少させるコマンドを表している［２４］の方法。
[３６] 第２のパワー制御コマンド流中の各パワー制御コマンドは、ステップ（ａ）において第１の基地局から送信された第２のデータ流に関係して送信パワーを増加または減少させるコマンドを表している［３５］の方法。
[３７] 第３のパワー制御コマンド流中の各パワー制御コマンドは、ステップ（ａ）において第２の基地局から送信された第１のデータ流に関係して送信パワーを増加または減少させるコマンドを表している［２６］の方法。
[３８] 第１および第２のデータ流は，ステップ（ａ）において共通の周波数帯域で移動局に送信される［２４］の方法。
[３９] 第１および第２のデータ流は，コード分割多重アクセス変調を使用して移動局に送信される［３８］の方法。
[４０] 移動局が第１と第２の基地局間のソフトハンドオフを行っているとき、ステップ（ａ）〜（ｈ）が実行される［２４］の方法。
[４１] 移動局が第１と第２の基地局間のソフトハンドオフを行っているとき、ステップ（ａ）〜（ｈ）が実行される［２６］の方法。
[４２] 移動局が第１と第２の基地局間のソフトハンドオフを行っているとき、ステップ（ａ）〜（ｈ）が実行される［２７］の方法。
[４３] 移動無線電話通信システムにおける少なくとも第１および第２の基地局から１つの移動局へ送信される複数の異なったデータ流の送信パワーレベルを制御する方法において、
（ａ）第１のデータ流を第１および第２の基地局から前記移動局へ送信し、第２のデータ流を前記第１の基地局から移動局へ送信し、
（ｂ）前記移動局において第１の基地局および第２の基地局から第１のデータ流を受信し、前記移動局において第１の基地局から第２のデータ流を受信し、
（ｃ）前記移動局において第１のパワー制御コマンド流を形成し、その第１のパワー制御コマンド流は第１の基地局から受信された第１のデータ流および第２の基地局から受信された第１のデータ流にしたがって決定され、前記移動局において第２のパワー制御コマンド流を形成し、その第２のパワー制御コマンド流は第１の基地局から受信された第２のデータ流にしたがって決定され、
（ｄ）前記移動局において第１および第２のパワー制御コマンド流からパワー制御信号を形成し、
（ｅ）前記移動局から第１および第２の基地局へパワー制御信号を送信し、
（ｆ）第１および第２の基地局において前記パワー制御信号を受信し、
（ｇ）第１の基地局において受信されたパワー制御信号から第１の受信されたパワー制御コマンド流を形成し、第２の基地局において受信されたパワー制御信号からの第２の受信されたパワー制御コマンド流を形成し、
（ｈ）第１の受信されたパワー制御コマンド流にしたがって前記第１の基地局から第１のデータ流の送信パワーレベルを制御し、第１の受信されたパワー制御コマンド流にしたがって前記第１の基地局からの前記第２のデータ流の送信パワーレベルを制御し、第２の受信されたパワー制御コマンド流にしたがって前記第２の基地局からの前記第１のデータ流の送信パワーレベルを制御するステップを有することを特徴とする送信パワーレベルの制御方法。
[４４] 第２の受信されたパワー制御コマンド流はステップ（ｃ）で決定された第１のパワー制御コマンド流に実質上対応し、第１の受信されたパワー制御コマンド流はステップ（ｃ）で決定された第２のパワー制御コマンド流に実質上対応している［４３］の方法。
[４５] 第１のデータ流は音声メッセージ信号である［４３］の方法。
[４６] 第２のデータ流はファックス伝送を表している［４５］の方法。
[４７] 第２のデータ流はインターネット伝送を表している［４５］の方法。
[４８] 第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する［４３］の方法。
[４９] 第１の基地局からの第１の受信されたデータ流に関係するエラー率および第２の基地局からの第１の受信されたデータ流に関係するエラー率をモニタすることによって、ステップ（ｃ）において移動局は第１のパワー制御コマンド流を形成する［４３］の方法。
[５０] 第１の基地局からの第１の受信されたデータ流に関係する信号対雑音比および第２の基地局からの第１の受信されたデータ流に関係する信号対雑音比をモニタすることによって、ステップ（ｃ）において移動局は第１のパワー制御コマンド流を形成する［４３］の方法。
[５１] 第１のパワー制御コマンド流中の各パワー制御コマンドは、ステップ（ａ）において第２の基地局から送信される第１のデータ流に関係して送信パワーを増加または減少させるコマンドを表している［４３］の方法。
[５２] 第２のパワー制御コマンド流中の各パワー制御コマンドは、ステップ（ａ）において第１の基地局から送信される第１のデータ流に関係して送信パワーを増加または減少させるコマンドを表している［５１］の方法。
[５３] 第２のパワー制御コマンド流中の各パワー制御コマンドは、ステップ（ａ）において第１の基地局から送信された第２のデータ流に関係して送信パワーを増加または減少させるコマンドを表している［５２］の方法。
[５４] 第１および第２のデータ流は，テップ（ａ）において共通の周波数帯域で移動局に送信される［４３］の方法。
[５５] 第１および第２のデータ流は，コード分割多重アクセス変調を使用して移動局に送信される［５４］の方法。
[５６] 移動局が第１と第２の基地局間のソフトハンドオフを行っているとき、ステップ（ａ）〜（ｈ）が実行される［４３］の方法。
[５７] 移動無線電話通信システムにおいて、基地局の第１のアクチブセット中の１以上の基地局から１つの移動局へ送信される第１のデータ流および基地局の第２のアクチブセット中の１以上の基地局から前記移動局へ送信される第２のデータ流の送信パワーレベルを制御する方法において、
（ａ）第１のデータ流を第１のアクチブセット中の基地局から前記移動局へ送信し、第２のデータ流を第２のアクチブセット中の基地局から前記移動局へ送信し、
（ｂ）前記移動局において第１のアクチブセット中の基地局から第１のデータ流を受信し、第２のアクチブセット中の基地局から第２のデータ流を受信し、
（ｃ）前記移動局において第１のパワー制御コマンド流を形成し、その第１のパワー制御コマンド流は第２のアクチブセット中の各基地局から受信された第１のデータ流および第２のアクチブセットの各基地局から受信された第２のデータ流にしたがって決定され、前記移動局において第２のパワー制御コマンド流を形成し、その第２のパワー制御コマンド流は第１のアクチブセットの各基地局から受信された第１のデータ流にしたがって決定され、第２のアクチブセットの基地局から受信された第１のデータ流は決定には関係せず、
（ｄ）前記移動局において第１および第２のパワー制御コマンド流からパワー制御信号を形成し、
（ｅ）前記移動局から前記第１および第２のアクチブセットの基地局へパワー制御信号を送信し、
（ｆ）第１の基地局において前記パワー制御信号を受信し、その第１の基地局は基地局の前記第１および第２のアクチブセットに含まれており、
（ｇ）第１の基地局において受信されたパワー制御信号にしたがって第１の受信されたパワー制御コマンド流を形成し、この第１の受信されたパワー制御コマンド流は移動局において形成された第１のパワー制御信号に対応しており、
（ｈ）第１の受信されたパワー制御コマンド流にしたがって第１の基地局からの第１のデータ流の送信パワーレベルを制御し、第１の受信されたパワー制御コマンド流にしたがって前記第１の基地局からの前記第２のデータ流の送信パワーレベルを制御し、
（ｉ）第２の基地局においてパワー制御信号を受信し、この第２の基地局は第１の基地局のアクチブセットに含まれているが、第２の基地局のアクチブセットには含まれておらず、
（ｊ）第２の基地局において受信されたパワー制御信号にしたがって第２の受信されたパワー制御コマンド流を形成し、この第２の受信されたパワー制御コマンド流は移動局において形成された第２のパワー制御コマンド流に対応し、
（ｋ）第２の受信されたパワー制御コマンド流にしたがって第２の基地局からの前記第１のデータ流の送信パワーレベルを制御するステップを有することを特徴とする送信パワーレベルの制御方法。
【外国語明細書】
2011182434000001.pdf